(57)【要約】  【解決手段】  電池を併用するようなっている交換自在な防曇レンズゴーグルであって、利用者の顔面に係合する可撓性後部と、前部とを伴う本体と、レンズであって、その上に抵抗性の防曇要素を有し、前記本体の前部に係合するようなっているレンズと、前記レンズおよび前記本体を着脱自在に相互接続する係合機構と、前記本体に付属し、前記レンズの前記加熱要素および前記電池を切り離し自在に相互接続するようなっている相互接続機構であって、当該相互接続手段は、前記レンズの前記加熱要素を前記電池と相互接続機構することで前記レンズと前記本体の前記半硬質の前部との相互接続機構も強化されるよう前記係合機構とともに動作可能であり、またはこれと一体的である相互接続機構と、利用者の頭部およびヘルメットのうち１つの周囲でゴーグルを保持するようなっているストラップとを有する交換自在な防曇レンズゴーグル。  【選択図】      図４ｇ
2014531965.tif 000002
【特許請求の範囲】
【請求項１】
電池を併用するように構成されている交換自在な防曇レンズゴーグルであって、
第１および第２の端部と、利用者の目に隣接して利用者の顔面に接触するようなっている可撓性後部と、半硬質の前部とを有する本体と、
防曇加熱要素を上部に有するレンズであって、前記利用者の目から一定の距離だけ離間されて前記本体の前記半硬質の前部に係合され、前記利用者の目にシールドを提供する、前記レンズと、
前記レンズに取り付けられる部分と、前記本体に取り付けられる部分とを有し、前記レンズと前記本体の前記半硬質の前部とを着脱自在に相互接続する係合機構と、
前記本体に付属し、前記レンズの前記加熱要素および前記電池を切り離し自在に相互接続するようなっている相互接続機構であって、前記係合機構とともに動作可能であり、前記レンズの前記加熱要素が前記電池と相互接続されることにより前記レンズと前記本体の前記半硬質の前部との相互接続が強化され、かつ、前記加熱要素と前記電池が接続解除されることにより前記レンズも解放され、前記本体の前記半硬質の前部から係合解除されるものである、前記相互接続機構と、
第１および第２の端部を有するストラップ手段であって、当該ストラップ手段の前記第１の端部は前記本体の前記第１の端部と相互接続され、当該ストラップ手段の前記第２の端部は前記本体の前記第２の端部と相互接続されるものであり、当該ストラップ手段は、利用者の頭部およびヘルメットのうち１つの周囲で当該ゴーグルを保持するようなっているものである、前記ストラップ手段と
を有する交換自在な防曇レンズゴーグル。
【請求項２】
請求項１記載の交換自在な防曇レンズゴーグルにおいて、前記係合機構は、さらに、
さねはぎ継ぎ部材を有し、前記さねはぎ継ぎ部材の一方は、前記レンズの外周上にあり、前記さねはぎ継ぎ部材の他方は、前記本体の前部の外周上にあるものである交換自在な防曇レンズゴーグル。
【請求項３】
請求項１記載の交換自在な防曇レンズゴーグルにおいて、前記係合機構は、さらに、
キャップアンドリッジ継ぎ（ｃａｐ−ａｎｄ−ｒｉｄｇｅ）部材を有し、前記キャップは前記レンズの外周上にあり、前記リッジは前記本体の前部の外周上にあるものである交換自在な防曇レンズゴーグル。
【請求項４】
請求項１記載の交換自在な防曇レンズゴーグルにおいて、前記レンズの前記加熱要素および前記電池を切り離し自在に相互接続するようなっている前記相互接続機構は、さらに、
前記レンズ上のフック部と、前記本体に枢着され、前記レンズの前記フック部と係合するラッチとを有し、前記ラッチは、前記レンズの端部を前記本体に対して付勢することにより前記レンズの前記本体への取り付けを強化し、かつ、前記レンズの前記加熱要素および前記電池を相互接続する第１の位置に動作可能であり、さらに、前記レンズを解放して前記本体から取り外し、かつ、前記レンズの前記加熱要素を前記電池から接続解除する第２の位置に動作可能である交換自在な防曇レンズゴーグル。
【請求項５】
請求項１記載の交換自在な防曇レンズゴーグルにおいて、前記レンズの前記加熱要素および前記電池を切り離し自在に相互接続するようなっている前記相互接続機構は、さらに、
前記本体上に枢動自在なラッチゲート（ｌａｔｃｈｉｎｇ  ｇａｔｅ）を有し、前記ゲートは、前記レンズの端部を前記本体に対して付勢することにより前記レンズの前記本体への取り付けを強化し、かつ、前記レンズの前記加熱要素および前記電池を相互接続する第１の位置に動作可能であり、さらに、前記レンズを解放して前記本体から取り外し、かつ、前記レンズの前記加熱要素を前記電池から接続解除する第２の位置に動作可能である
交換自在な防曇レンズゴーグル。
【請求項６】
請求項１記載の交換自在な防曇レンズゴーグルにおいて、前記レンズの前記加熱要素および前記電池を切り離し自在に相互接続するようなっている前記相互接続機構は、さらに、前記レンズに付属する複数の伸縮性バンドと、前記本体上に前記複数の伸縮性バンドに対応する複数のポストとを有し、
各前記伸縮性バンドは対応するポストの周囲にループ状に配置され、前記レンズの一部を前記本体に対して付勢することにより前記前記レンズの本体への取り付けを強化し、かつ、前記レンズの前記加熱要素および前記電池を相互接続する第１の位置に動作可能であり、さらに、
各前記伸縮性バンドは、前記対応するポストから接続解除されることにより前記レンズを解放して前記本体から取り外し、かつ、前記レンズの前記加熱要素を前記電池から接続解除する第２の位置に動作可能であり、
前記相互接続機構は、さらに、前記レンズの前記加熱要素と前記電池式熱源との間に複数の接点をに有し、前記接点は前記伸縮性バンド内および前記対応するポスト内に設けられるものである
交換自在な防曇レンズゴーグル。
【請求項７】
請求項１記載の交換自在な防曇レンズゴーグルにおいて、前記レンズの前記加熱要素および前記電池を切り離し自在に相互接続するようなっている前記相互接続機構は、さらに、
外周部材であって、その内周上に複数の相互接続部材を有する外周部材と、
前記外周部材に対応するように前記ゴーグル本体の外周に沿って形成された複数のレセプタクルと
を有し、
各レセプタクルは、それに対応する相互接続部材を第１の閉位置で受容および保持して前記レンズの端部を前記本体に対して付勢することにより前記レンズの前記本体への取り付けを強化し、かつ、前記レンズの前記加熱要素および前記電池を相互接続するようなっており、
前記相互接続部材は、それに対応するレセプタクルから接続解除されて、前記レンズの前記加熱要素を前記電池から接続解除する開位置に動作可能である
交換自在な防曇レンズゴーグル。
【請求項８】
電池を併用するよう構成された交換自在な防曇レンズゴーグルであって、
第１の端部と、第２の端部と、利用者の目に隣接して利用者の顔面に接触するようなっている可撓性後部と、半硬質の前部とを有する本体と、
第１の端部と、第２の端部とを有するレンズであって、上部に防曇加熱要素を有し、前記利用者の目から一定の距離だけ離間されて前記本体の前記半硬質の前部に係合され、前記利用者の目にシールドを提供する、前記レンズと、
前記レンズの前記防曇加熱要素を前記電池と相互接続するようなっている係合機構であって、
当該係合機構の一部は前記本体に接続され、かつ、他の一部は前記レンズに接続されるものであり、
当該係合機構は、第１の係合位置と第２の係合解除位置との間で動作可能であり、当該係合機構が前記第１の係合位置に動作することにより、前記レンズが前記本体の前記半硬質の前部と着脱自在に相互接続し、かつ、前記レンズの防曇加熱要素が前記電池と着脱自在に相互接続するものであり、
当該係合機構が前記第２の係合解除位置に動作することにより、前記レンズが前記本体の前記半硬質の前部から取り外され、かつ、前記レンズの防曇加熱要素が前記電源から接続解除されるものである、
前記係合機構と、
第１および第２の端部を有するストラップ手段であって、当該ストラップ手段の前記第１の端部は前記本体の前記第１の端部と相互接続され、当該ストラップ手段の前記第２の端部は前記本体の前記第２の端部と相互接続されるものであり、当該ストラップ手段は、利用者の頭部およびヘルメットのうち１つの周囲で当該ゴーグルを保持するようなっているものである、前記ストラップ手段と
を有する交換自在な防曇レンズゴーグル。
【請求項９】
請求項８記載の交換自在な防曇レンズゴーグルにおいて、前記係合機構は、さらに、さねはぎ継ぎ部材を有し、前記さねはぎ継ぎ部材の一方は、前記レンズの外周上にあり、前記さねはぎ継ぎ部材の他方は、前記本体の前部の外周上にあるものである交換自在な防曇レンズゴーグル。
【請求項１０】
請求項８記載の交換自在な防曇レンズゴーグルにおいて、前記係合機構は、さらに、キャップアンドリッジ継ぎ部材を有し、前記キャップは前記レンズの外周上にあり、前記リッジは前記本体の前部の外周上にあるものである交換自在な防曇レンズゴーグル。
【請求項１１】
請求項８記載の交換自在な防曇レンズゴーグルにおいて、さらに、
一部が前記本体に接続され、かつ、他の一部が前記レンズに接続される相互接続機構であって、前記レンズと、前記本体の前記半硬質の前部との係合を強化するものである、前記相互接続機構
を有するものである交換自在な防曇レンズゴーグル。
【請求項１２】
請求項１１記載の交換自在な防曇レンズゴーグルにおいて、前記相互接続機構は、さらに、
複数のフック部であって、少なくとも１つのフック部は前記レンズの前記第１の端部に付属し、少なくとも１つのフック部は前記レンズの前記第２の端部に付属するものである、前記フック部と、
複数のラッチであって、少なくとも１つのラッチは前記本体の前記第１の端部に枢着され、少なくとも１つのラッチは前記本体の前記第２の端部に枢着されるものであり、
各前記ラッチは、各前記ラッチの第１の係合位置において、前記フック部の１つに係合して、前記レンズを前記本体の前記半硬質の前部と着脱自在に相互接続し、かつ、前記レンズの前記防曇加熱要素を前記電池と着脱自在に相互接続するものであり、さらに、各前記ラッチの前記第２の係合位置において、前記レンズを前記本体の前記半硬質の前部から解放し、かつ、前記レンズの前記防曇加熱要素を前記電池式熱源から接続解除するものである、
前記複数のラッチと
を有するものである交換自在な防曇レンズゴーグル。
【請求項１３】
請求項１１記載の交換自在な防曇レンズゴーグルにおいて、前記相互接続機構は、さらに、
複数のラッチゲートであって、
少なくとも１つのゲートは前記本体の前記第１の端部に枢着され、少なくとも１つのゲートは前記本体の前記第２の端部に枢着されるものであり、
各前記ゲートは、前記レンズの端部を前記本体に対して付勢することにより前記レンズの前記本体への取り付けを強化する第１の位置に動作可能であり、かつ、前記レンズの前記加熱要素および前記電池を相互接続し、
各前記ゲートは、前記レンズを解放して前記本体から取り外し、かつ、前記レンズの前記加熱要素を前記電池から接続解除する第２の位置に動作可能である
前記複数のラッチゲート
を有するものである交換自在な防曇レンズゴーグル。
【請求項１４】
請求項１１記載の交換自在な防曇レンズゴーグルにおいて、前記レンズの前記加熱要素および前記電池を切り離し自在に相互接続するようなっている前記相互接続機構は、さらに、
前記レンズに付属する複数の伸縮性バンドと、前記本体上で前記複数の伸縮性バンドに対応する複数のポストを有し、
各前記伸縮性バンドは対応するポストの周囲にループ状に配置され、前記レンズの一部を前記本体に対して付勢することにより前記レンズの前記本体への取り付けを強化し、かつ、前記レンズの前記加熱要素および前記電池を相互接続する第１の位置へと動作可能であり、さらに、
各前記伸縮性バンドは、前記対応するポストから接続解除されることにより前記レンズを解放して前記本体から取り外し、かつ、前記レンズの前記加熱要素を前記電池から接続解除する第２の位置に動作可能であり、
前記相互接続機構は、さらに、前記レンズの前記加熱要素と前記電池式熱源との間に複数の接点を有し、前記接点は前記伸縮性バンド内および前記対応するポスト内に設けられるものである、
交換自在な防曇レンズゴーグル。
【請求項１５】
請求項１１記載の交換自在な防曇レンズゴーグルにおいて、前記レンズの前記加熱要素および前記電池を切り離し自在に相互接続するようなっている前記相互接続機構は、さらに、
外周部材であって、その内周上に複数の相互接続部材を有する外周部材と、
前記外周部材に対応するように前記ゴーグル本体の外周に沿って形成された複数のレセプタクルと
を有し、
各レセプタクルは、それに対応する相互接続部材を第１の閉位置で受容および保持して前記レンズを前記本体に対して付勢することにより前記レンズの前記本体への取り付けを強化し、かつ、前記レンズの前記加熱要素および前記電池を相互接続するようなっており、
前記相互接続機構は、それに対応するレセプタクルから接続解除されて、前記レンズの前記加熱要素を前記電池から接続解除する開位置に動作可能である
交換自在な防曇レンズゴーグル。
【請求項１６】
種々の天候、明暗、および曇り条件に対応するようなっている交換自在なレンズを伴うゴーグルであって、
第１および第２の端部と、利用者の目に隣接して利用者の顔面に接触するようなっている可撓性後部と、半硬質の前部とを有する本体と、
前記利用者の目から一定の距離だけ離間されて前記本体の前記半硬質の前部に係合され、前記利用者の目にシールドを提供するようなっているレンズと、
剥離式の水平方向さねはぎ継ぎ機構であって、さねはぎ継ぎ部材の一方が前記レンズの外周上に取り付けられ、さねはぎ継ぎ部材の他方が前記本体の前記半硬質の前部の外周上に取り付けられ、前記レンズと、前記本体の前記半硬質の前部とを着脱自在に相互接続するものである、前記剥離式の水平方向さねはぎ継ぎ機構と、
第１および第２の端部を有するストラップ手段であって、当該ストラップ手段の前記第１の端部は前記本体の前記第１の端部と相互接続され、当該ストラップ手段の前記第２の端部は前記本体の前記第２の端部と相互接続されるものであり、当該ストラップ手段は、前記利用者の頭部の周囲で当該ゴーグルを保持するようなっているものである、ストラップ手段と
を有するゴーグル。
【請求項１７】
請求項１６記載のゴーグルにおいて、さらに、
前記本体に付属し、開閉位置間で動作可能なラッチであって、閉位置において、前記本体の前記半硬質の前部に対して前記レンズを付勢することにより前記レンズと前記本体の前記半硬質の前部との前記着脱自在な相互接続を強化し、開位置において、前記レンズを解放して前記本体の前記半硬質の前部から取り外すものである、前記ラッチを有するものであるゴーグル。
【請求項１８】
請求項１６記載のゴーグルにおいて、前記レンズは、さらに、その上部に防曇加熱要素を有し、電池と接続するようなっており、前記レンズの相互接続により、前記レンズの上部の前記防曇加熱要素も前記電池に接続されるものであるゴーグル。
【請求項１９】
種々の天候、明暗、および曇り条件に対応するようなっている交換自在なレンズを伴うゴーグルであって、
第１および第２の端部と、利用者の目に隣接して利用者の顔面に接触するようなっている可撓性後部と、半硬質の前部とを有する本体と、
前記利用者の目から一定の距離だけ離間されて前記本体の前記半硬質の前部に係合され、前記利用者の目にシールドを提供するようなっているレンズと、
剥離式のキャップアンドリッジ継ぎ機構であって、前記キャップは前記レンズの外周上に取り付けられ、前記リッジは前記本体の前記半硬質の前部の外周上に取り付けられ、前記レンズと、前記本体の前記半硬質の前部とを着脱自在に相互接続するものである、前記剥離式のキャップアンドリッジ継ぎ機構と、
第１および第２の端部を有するストラップ手段であって、当該ストラップ手段の前記第１の端部は前記本体の前記第１の端部と相互接続され、当該ストラップ手段の前記第２の端部は前記本体の前記第２の端部と相互接続されるものであり、当該ストラップ手段は、前記利用者の頭部の周囲で当該ゴーグルを保持するようなっているものである、前記ストラップ手段と
を有するゴーグル。
【請求項２０】
請求項１９記載のゴーグルにおいて、このゴーグルは、さらに、
前記本体に付属し、開閉位置間で動作可能なラッチであって、閉位置において、前記本体の前記半硬質の前部に対して前記レンズを付勢することにより前記レンズと前記本体の前記半硬質の前部との前記着脱自在な相互接続を強化し、開位置において、前記レンズを解放して前記本体の前記半硬質の前部から取り外すものである、前記ラッチを有するものであるゴーグル。
【請求項２１】
請求項１９記載のゴーグルにおいて、前記レンズは、さらに、その上部に防曇加熱要素を有し、電池と接続するようなっており、前記レンズの相互接続により、前記レンズの上部の前記防曇加熱要素も前記電池に接続されるものであるゴーグル。
【発明の詳細な説明】
【技術分野】
【０００１】
この特許出願は、２０１１年１０月１８日付で出願された米国仮特許出願第６１／５４８，２５３号と、米国非仮特許出願第１３／５８７，９０８号とに基づく利益および優先権を主張するものである。
【０００２】
本発明はゴーグルに関し、より具体的には、種々の天候、照明、およびゴーグルの曇りへの適応を実現する容易に交換自在なレンズを有したゴーグルに関する。
【背景技術】
【０００３】
全体としてのゴーグル構造
スポーツ用ゴーグル、例えばスキー、サイクリング、スノーボード、自動二輪車（オートバイ）およびＡＴＶ（四輪バギー）乗車、ペイントボールを行う際、または主に地上軍事活動に使用される標準仕様の軍用ゴーグルに使用されることの多いものは、通常、プラスチック製のフレームまたは本体と、透明なプラスチック製またはポリカーボネート製の透過レンズとを有する。場合により、前記プラスチック製本体は、さらに、本体後部に相互接続された本体前部から成り、前記本体後部の最前部は、前記レンズを利用者の目から快適な距離に取り付け、担持し、および配置できるよう設計される。前記本体後部は、その最後部に、利用者の顔面上で目の周囲に前記本体を快適に配置して利用者の視野を画成するための発泡ゴム製インターフェース（フェイスパッド）を有する。このような従来のゴーグルは、さらに、前記本体前部のどちらか一方の端部からそれに対応する端部へと取り付けられた細長い弾性ストラップを有し、これは利用者の後頭部またはヘルメット後部の周囲に前記ストラップを伸長させ、その反対側である利用者の顔面上にゴーグルを位置付けることにより利用者の頭部またはヘルメット上で当該ゴーグルを保持することを目的としている。一般に、ゴーグル着用者の間では、種々の明暗および気象条件下で種々の色のレンズが有利であることが受け入れられ、理解されている。
【０００４】
ゴーグルにおける容易に交換自在なレンズの必要性
先行する従来のゴーグルにおいて、交換自在なレンズは提供されていない。そのため、明暗条件が一日を通じて変化する中で地形変化を判別する上で、特に、地面がほぼ一色の雪で覆われ地表にわずかな陰影しか見られないことの多い場合に地形変動の有無を判断する上で、現行ゴーグルの適正は低いため、その有用性も著しく損なわれているだけでなく、ゴーグルのレンズが損傷または破損した場合は、ゴーグル全体を交換する必要がある。
【０００５】
より最近の従来ゴーグルでは、損傷または破損したレンズの交換、あるいは明暗条件が変化して適さなくなったレンズの交換が可能になっている。そのようなゴーグルでは、本体が、垂直に配向された比較的深い溝を形成する柔軟ながら弾性のある成形材料を有し、多くの場合、レンズには、位置合わせおよび固定用に、前記溝内のペグに合わせた複数のノッチが伴う。前記ノッチおよびそれに合わせたペグは、前記溝内で垂直に配向された態様で前記レンズの周縁部を受容および収容し、前記ペグ上で前記本体に対して適切な向きにレンズを保持するよう設計されている。
【０００６】
利用者は、そのようなレンズの取り外しを希望する場合、可撓性本体部材を引き離して前記ノッチを外し、または前記本体の前記溝から前記レンズを取り外す。異なる色のレンズとの交換には、当該レンズの縁部およびそのノッチと各々に伴う溝およびペグとの位置合わせと逆の工程が伴い、まず当該レンズの上部または下部をそれに伴う溝およびペグに嵌装したのち、当該レンズの反対部分をそれに伴う溝およびペグに嵌装する。この工程が面倒で時間がかかり、利用者による容易なレンズ交換を妨げているため、利用者は、野外でレンズを替えるより、理想的ではなくても大半の明暗条件で多目的レンズを使うことを選んでいる。あるいは、利用者が繰り返しレンズを替える忍耐力がある場合でも、それらのゴーグル本体は、繰り返し応力をかけられて弾性を若干失い、破損し、または亀裂を生じて、前記レンズと前記本体とが係合しなくなる結果を招いていた。
【０００７】
これらのタイプのゴーグルにおけるレンズ交換の問題に対処するため、変化した条件に適合したレンズへの交換を容易にするため開閉するよう設計された連接フレームを有するゴーグルが開発されてきた。そのようなフレームの一例は、Ｒｕｎｃｋｅｌの米国特許第５，８１５，２３５号「Ｓｋｉ  Ｇｏｇｇｌｅｓ  Ｗｉｔｈ  Ｐｉｖｏｔａｌ  Ｆｒａｍｅ  Ｍｅｍｂｅｒｓ  Ｆｏｒ  Ｉｎｔｅｒｃｈａｎｇｉｎｇ  Ｌｅｎｓｅｓ」（レンズ交換用のフレーム部材を伴うスキーゴーグル）により提供されている。同様に、Ｓａｙｌｏｒらの米国特許出願公開第ＵＳ２０１１０２２５７０９Ａ１号「Ｅｙｅｗｅａｒ  Ｗｉｔｈ  Ｉｎｔｅｒｃｈａｎｇｅａｂｌｅ  Ｌｅｎｓ  Ｍｅｃｈａｎｉｓｍ」（レンズ交換自在な機構を伴うアイウェア）では、そのようなゴーグルに対し前記レンズを固定するよう付勢されたアウトリガー、ゲート、またはラッチにより当該ゴーグルのレンズ交換を容易にしており、さらにレンズの１つまたは複数の開口部に位置合わせされた１若しくはそれ以上の係合部材によりレンズが適切な向きに保たれる。
【０００８】
ゴーグルにおける防曇手段の必要性
ゴーグルは、当該ゴーグル本体とその利用者の顔面および目との間に画成された空間で温度および相対湿度条件が露点に達し、当該ゴーグルの内面が結露して「曇り」を形成した場合、見えづらくなってしまうことが知られている。これは、通常、ゴーグルレンズの内面が、ゴーグル本体内で密閉されたより暖かく湿度の高い領域に接触した場合に起こる。ゴーグルの曇りにつながる条件は多数考えられるが、レンズ内の露点は、温度、湿度、圧力、および換気条件の変化に影響される。曇りに共通する一例は、スキー、サイクリング、ハイキング、または他の激しい活動をしている者が動きを緩めることにより、ゴーグルの表面上を流れる空気の量が減少して、ゴーグルの内面と、その時点で身体活動により加温され湿気を帯びたゴーグルの閉鎖空間内の空気との温度差により、曇りが生じた場合に起こる。
【０００９】
曇りが生じる別の例には、著しい活動増加が伴い、主にそのような身体活動に伴う発汗作用から、それに加えて湿気を帯びた暖気の排出量増加から、ゴーグル内に閉じ込められた水分の量および熱が高まる。そのような場合には、ゴーグルのレンズ内面と、この時点でゴーグル内に閉じ込められている暖かい湿った空気との温度バランスがくずれ、ゴーグルレンズの内面が結露して曇りが生じる。
【００１０】
このように、ゴーグルにとって曇りは非常に一般的な問題であり、極端な温度を伴う種々の状況、特に発汗に起因する加温と、ゴーグル本体（ｅｎｃｌｏｓｕｒｅ）の外部温度より暖かい呼気がゴーグル空間内に入ってくることとにより生じる。言うまでもなく、この問題は利用者にとって気に障る程度から、非常に危険な状況となる程度まで幅があり、前記非常に危険な状況では、利用者の視野が著しく狭まっているにもかかわらず、利用者が固定障害物、例えば樹木、突起などの多様な地形、崖、または他の参加者の間を高速で移動しており、あるいは意図された標的または敵性戦闘員が利用者にはっきり見えていない。このゴーグルの曇り問題は、ゴーグル利用者の傷害、場合によっては死を招いている。
【００１１】
厄介で、危険でさえあるこの一般的な状況に対応し、ゴーグルが曇る問題を解決するため多大な労力が費やされてきた。例えば、ゴーグル内への受動気流を増やすため、数多くの取り組みが行われてきている。そのような取り組みの例は、Ｈｕｓｓｅｙの米国特許出願第２００５０１９３４７８号「Ｇｏｇｇｌｅ  Ａｔｔａｃｈｍｅｎｔ  Ｓｙｓｔｅｍ」（ゴーグル取り付けシステム）およびＭａｓｕｍｏｔｏの米国特許第６，６６５，８８５号「Ｇｏｇｇｌｅｓ」（ゴーグル）に見られる。
【００１２】
受動気流手段を利用してゴーグルレンズの曇りを取り除くゴーグルを生み出す最善の努力にもかかわらず、受動気流手段の曇り除去効果を失わせる条件がしばしば存在する。そのような条件は、低温氷結条件での利用者による身体活動から生じる温度および湿度の差を前記受動手段が克服する能力、あるいは雪による閉塞の蓄積を換気手段が克服する能力をはるかに超えてしまう。また、利用者の衣類、特に例えばマフラー、スカーフ、またはフェイスマスクが、そのようなゴーグルの意図された気流を妨げて効果を失わせることもある。
【００１３】
その結果、ゴーグル内の閉鎖空間およびレンズ内面を換気して曇りに至る条件を緩和する能動的な個人用ファンを備えたゴーグルが開発された。そのようなシステムの一例は、Ｒｙｄｅｎの米国特許第５，４５２，４８０号「Ｓｋｉ  Ｇｏｇｇｌｅｓ」（スキーゴーグル）で提供されている。このような装置の問題の１つは、その装置が必ずしも氷結、雪蓄積、または他のゴーグル外部通気口の閉塞を克服するわけではなく、そのようなシステムの効果が損なわれることである。
【００１４】
特定の状況でゴーグルの曇りを生じる厳密な原因に関係なく、ゴーグルのレンズ内面を十分加熱することが、レンズの曇りを取り除きそれ以上の曇りを防ぐ上で効果的な手段であることがわかってきた。これを受け、ゴーグルレンズの内面を能動的に加熱する種々の手段が開発されてきた。そのような手段の１つは、ゴーグルレンズの内面上におけるワイヤーまたは抵抗膜面の配置を有し、前記ワイヤーまたは抵抗膜面は、電源、例えば利用者のゴーグルのヘッドバンドまたはジャケットに搭載されたＤＣ電池に取り付けられて、レンズを加熱する上で十分な電力を供給する。そのようなゴーグルレンズ加熱方法の例は、Ｃｕｒｃｉｏの米国特許第４，８６８，９２９号「Ｅｌｅｃｔｒｉｃａｌｌｙ  Ｈｅａｔｅｄ  Ｓｋｉ  Ｇｏｇｇｌｅｓ」（電気的に加熱されたスキーゴーグル）、ＭｃＣｏｏｅｙｅらの米国特許第５，４５９，５３３号「Ｄｅｆｏｇｇｉｎｇ  Ｅｙｅ  Ｗｅａｒ」（曇り除去アイウェア）、およびＬｅｂｅｌらの米国特許出願公開第Ｓ２００９０１５１０５７号「Ｒｅｖｅｒｓｉｂｌｅ  Ｓｔｒａｐ−Ｍｏｕｎｔｉｎｇ  Ｃｌｉｐｓ  ｆｏｒ  Ｇｏｇｇｌｅｓ」（ゴーグル用リバーシブルストラップ装着クリップ）に開示されている。
【発明の概要】
【発明が解決しようとする課題】
【００１５】
このように、スポーツ用ゴーグルまたは標準仕様の軍用ゴーグルのレンズを交換しやすくするニーズ、ならびにそのようなゴーグルを曇りのない状態に保つニーズに対し、独立した解決策が考案されているものの、容易にレンズ交換自在なシステムだけでなく、レンズを加熱して曇りを防ぐ能動的で効果的な手段も提供するスポーツ用ゴーグルまたは標準仕様の軍用ゴーグルが現在も必要とされている。特に、ゴーグルのレンズを当該ゴーグルの本体に着脱自在に取り付け、好ましくは曇りを防ぐ必要がある場合にレンズを当該レンズの加熱源に効率的に同時相互接続できるようにする効率的かつ効果的な手段が必要とされている。そのようなシステムは、グローブを装着した手でも操作しやすく、製造が比較的安価なゴーグルに提供され、ひいてはスポーツ用ゴーグルまたは標準仕様の地上軍事行動用ゴーグルに妥当な価格で提供されることが理想的である。  
【課題を解決するための手段】
【００１６】
本発明の第１の観点によれば、電池を併用するよう構成された交換自在な防曇レンズゴーグルが提供され、このゴーグルは、本体と、防曇レンズと、レンズ・本体係合手段または機構と、前記レンズ・本体係合機構とともに動作可能な電気相互接続およびレンズ・本体取り付け強化手段または機構と、利用者の頭部またはヘルメット上でゴーグルを保持するストラップ手段とを有する。
【００１７】
前記本体は、第１および第２の端部と、利用者の目に隣接して利用者の顔面に接触するようなっている可撓性後部と、半硬質の前部とを有する。
【００１８】
前記レンズは、その上部に防曇加熱要素を有し、利用者の目から一定の距離だけ離間されて前記本体の前記半硬質の前部に係合され、利用者の目にシールドを提供する。
【００１９】
前記係合機構は、前記レンズに取り付けられる部分と、前記本体に取り付けられる部分とを有し、前記レンズと前記本体の前記半硬質の前部とを着脱自在に相互接続する。前記係合機構は、さねはぎ継ぎ部材またはさねはぎ継ぎシールをさらに有することが好ましく、その場合、前記さねはぎ継ぎ部材の一方は、前記レンズの外周上にあり、前記さねはぎ継ぎ部材の他方は、前記本体の前部の外周上にある。あるいは、前記係合機構は、キャップアンドリッジ継ぎ（ｃａｐ−ａｎｄ−ｒｉｄｇｅ）部材またはキャップアンドリッジ継ぎシールをさらに有することができ、その場合、前記キャップは、前記レンズの外周上にあり、前記リッジは、前記本体の前部の外周上にある。
【００２０】
前記相互接続機構は、前記本体に付属し、前記レンズの前記加熱要素および前記電池を切り離し自在に相互接続するようなっている。さらに、前記相互接続手段は前記係合機構とともに動作可能であり、前記レンズの前記加熱要素が前記電池と相互接続されることにより前記レンズと前記本体の前記半硬質の前部との相互接続が強化され、また前記加熱要素と前記電池が接続解除されることにより前記レンズも解放され、前記本体の前記半硬質の前部から係合解除される。
【００２１】
前記レンズの前記加熱要素および前記電池を切り離し自在に相互接続するようなっている前記相互接続機構は、さらに、前記レンズ上のフック部と、前記本体に枢着され、前記レンズの前記フック部と係合するラッチとを有する。そのようなラッチは、前記レンズの端部を前記本体に対して付勢することにより前記本体への前記レンズの取り付けを強化し、かつ、前記レンズの前記加熱要素および前記電池を相互接続する第１の位置に動作可能であることが好ましく、また、前記レンズを解放して前記本体の半硬質の前部から取り外し、かつ、前記レンズの前記加熱要素を前記電池から接続解除する第２の位置に動作可能であることが好ましい。
【００２２】
あるいは、前記レンズの前記加熱要素および前記電池を切り離し自在に相互接続するようなっている前記相互接続機構は、さらに、前記本体上に枢動自在にラッチするゲートを有し、このゲートは、前記レンズの端部を前記本体に対して付勢するように第１の位置に動作可能である。これにより、前記ゲートは、前記本体への前記レンズの取り付けを強化し、前記レンズの前記加熱要素を前記電池と相互接続する。また、前記ゲートは、前記レンズを解放して前記本体から取り外し、かつ、前記レンズの前記加熱要素を前記電池から接続解除する第２の位置に動作可能である。
【００２３】
さらに、一代替実施形態において、前記レンズの前記加熱要素および前記電池を取り外し可能に相互接続するようなっている前記相互接続機構は、前記レンズ周囲の伸縮性のシリコーンバンドと、前記ゴーグルフレームの各端部、または前記ゴーグルフレーム周囲の中間位置にあるポストとをさらに有し、前記シリコーンバンドは、複数の伸縮性バンドまたはループを形成し、前記レンズの各端部、または前記レンズ周囲の中間位置に１つのバンドがあり、前記レンズを前記本体に対して付勢することにより前記本体への前記レンズの取り付けを強化し、かつ、前記レンズの前記加熱要素および前記電池を相互接続するよう、前記本体の前記端部のポスト周囲に、または前記本体周囲の中間位置でループ状になり、または巻き付く第１の位置へと動作可能になっており、各前記伸縮性バンドは、前記レンズを解放して前記本体から取り外し、かつ、前記対応するポストから接続解除され、前記レンズの前記加熱要素を前記電池から接続解除する第２の位置に動作可能である。
【００２４】
この実施形態において、前記レンズ上の前記加熱要素と、前記電池とを相互接続する接点は、前記レンズ上と、前記ゴーグルの前記フレーム上とに設けることができ、あるいは、前記シリコーンバンド上と、前記ゴーグルの前記フレーム上または前記ゴーグルのどちらか一方の端部の前記ポスト上とに設けることができる。この実施形態において、前記ポストは電子機器を制御するボタンを搭載することができ、前記ボタンは、シリコーンで覆っても、覆わなくてもよい。
【００２５】
さらに、一代替実施形態において、前記レンズの前記加熱要素および前記電池を取り外し可能に相互接続するようなっている前記相互接続機構は、外周部材、例えばシリコーンスキン、または前部プラスチックフェイスまたはフレームをさらに有し、この外周部材または前部プラスチックフェイスまたはフレームは、１若しくはそれ以上の相互接続部材、例えば前部プラスチックフェイスまたはフレームに付属する小突起状のシリコーン製係合部材、またはより硬質なクリップ部材を有し、それに対応するレセプタクルに嵌合するようなっており、前記レセプタクルは、より硬質な材料、例えばプラスチックで作製された前記ゴーグル本体の外周の周囲に形成され、各レセプタクルは、それに対応する相互接続部材またはクリップ部材を第１の閉位置で受容および保持して前記レンズを前記ゴーグル本体に対して付勢することにより前記本体への前記レンズの取り付けを強化し、かつ、前記レンズの前記加熱要素および前記電池を相互接続するようなっており、前記相互接続部材は、それに対応するレセプタクルから接続解除されて、前記レンズの前記加熱要素を前記電池から接続解除するように開位置に動作可能である。この実施形態において、前記レンズは、前記ゴーグルフレームと、前記外部シリコーンスキン、あるいは前部フェイスまたはフレームとの間のどちらかに配置され、前記レンズは、前記外部シリコーンスキン、あるいは前部フェイスまたはフレームにより、前記ゴーグルフレーム上の定位置に保たれる。この実施形態において、接点は、前記レンズ上の前記加熱要素および前記電池を相互接続し、前記電池は、前記レンズおよび前記ゴーグルの本体に設けることができる。
【００２６】
別の代替実施形態において、前記レンズの前記加熱要素および前記電池を取り外し可能に相互接続するようなっている前記相互接続機構は、複数のクリップ状またはフック状の係合部材を有するポップオフ（取り外し）前部フェイスをさらに有し、前記係合部材は、前記より硬質なゴーグルプラスチック本体上のスナップレセプタクルにおいて確動的な受容および係合を行うようなっている。この実施形態において、前記レンズは、上述した前記シリコーン前部フェイスの場合のように、前記ポップオフ前部フェイスと前記ゴーグル本体間に配置でき、または前記より硬質なポップオフ前部フェイスの一部とすることもできる。この実施形態において、接点は、前記レンズ上の前記加熱要素および前記電池を相互接続し、前記電池は、前記レンズおよび前記ゴーグルの本体に設けることができる。
【００２７】
前記ストラップ手段は第１および第２の端部を有し、利用者の頭部またはヘルメットの周囲で当該ゴーグルを保持する。当該ストラップ手段の前記第１の端部は、前記本体の前記第１の端部と相互接続され、当該ストラップ手段の前記第２の端部は、前記本体の前記第２の端部と相互接続される。このストラップは、従来のストラップを有しても、シリコーンストラップ、特にヘルメットに係合するようなっているものを有してもよい。前記電池は、防水案件内に収容して、前記ストラップ、前記ゴーグルの前記本体、または利用者の衣類に内設できる。
【００２８】
本発明のこの観点は、容易に交換自在で、曇りのない着用感ももたらすようになっているレンズをゴーグルに提供することにより、従来のゴーグルで見られる問題に対処し、これを軽減する。これにより、利用者は、防曇レンズを別の防曇レンズと交換することで様々な明暗および気象条件に適応でき、従来のゴーグルに伴う、レンズを適切にフレームに戻すための面倒な作業に煩わされずにすむ。さらに、本発明では非防曇レンズおよび防曇レンズ両タイプのレンズが交換自在であるため、利用者は、非防曇レンズを防曇レンズと交換することができる。レンズを交換する際に利用者が行わなければならない工程数が最小限に抑えられているだけでなく、本発明の防曇特性からも、利用者は、この改善されたゴーグルの特徴をより多く使用し、その有益性を享受するようになる。
【００２９】
本発明の別の観点によれば、電池を併用するように構成された交換自在な防曇レンズゴーグルが提供され、このゴーグルは、本体と、防曇レンズと、前記レンズを前記本体に、そして前記レンズを前記電池に相互接続する係合機構と、利用者の頭部上でゴーグルを保持するストラップ手段とを有する。
【００３０】
本発明のこの観点の前記本体、レンズ、およびストラップ部分は、上述した本発明の観点に係る前記本体、レンズ、およびストラップ部分と同様であり、電気的に加熱される種々のレンズ、例えば抵抗要素をコーティングしたタイプのレンズ、埋め込みワイヤータイプのレンズ、抵抗要素レンズなどは、添付の請求項に記載された本発明の真の要旨を逸脱しない範囲で、本発明のゴーグルと併用するようにできることが明確に理解されるであろう。
【００３１】
前記係合機構は、前記レンズの前記防曇加熱要素と、前記電池とを切り離し自在に相互接続するようなっており、この係合機構の一部は前記本体に接続され、この係合機構の一部は前記レンズに接続される。前記係合機構は、第１の係合位置と第２の係合解除位置との間で動作可能なことが好ましく、その場合、この係合機構の第１の係合位置への動作により、前記レンズが前記本体の前記半硬質の前部と着脱自在に相互接続し、かつ、前記レンズの防曇加熱要素が前記電池と着脱自在に相互接続する。前記係合機構の前記第２の係合解除位置への動作では、前記レンズが、前記本体の前記半硬質の前部から外され、前記レンズの前記防曇加熱要素が前記電源から接続解除される。
【００３２】
本発明のこの観点に係るゴーグルの前記係合機構は、さねはぎ継ぎ部材をさらに有し、前記さねはぎ継ぎ部材の一方は、前記レンズの外周上にあり、前記さねはぎ継ぎ部材の他方は、前記本体の前部の外周上にある。あるいは、前記相互接続機構は、キャップアンドリッジ継ぎ部材をさらに有し、前記キャップは、前記レンズの外周上にあり、前記リッジは、前記本体の前部の外周上にある。
【００３３】
本発明のこの観点は、さらに、レンズ内またはレンズ上に導入した防曇機能を適用できるゴーグルのレンズ交換を簡略化し、その場合、利用者に必要とされるのは、本質的に前記ゴーグルの前部外周から１枚のレンズを剥離して前記レンズを取り外す単一の工程、ならびに本質的に前記前部外周を前記別のレンズの外周に係合させる単一の工程だけである。本発明のこの観点における前記電源との電気接続は、電源を前記レンズに接続する上で何の追加工程も必要なく、本質的に前記レンズ交換と同時に、またはそれにより自動的に行われる。言うまでもなく、前記電池の電力系統にオン・オフスイッチ（実際は、通常、高・低電力スイッチになる）を提供して非使用時に電池の電力を節約できるようにすると有益であるが、そのようなオン・オフスイッチの操作は、低電圧の電力系統ではまず前記電池をオフにしなくとも利用者または当該システムにリスクなく行えるため、レンズ交換の追加工程とは見なされない。
【００３４】
本発明のこの観点の前記交換自在な防曇レンズゴーグルは、さらに相互接続機構を有することができ、この相互接続機構の一部は前記本体に接続され、この相互接続機構の一部は前記レンズに接続される。本発明のこの観点に係る相互接続機構は、前記レンズと、前記本体の前記半硬質の前部との係合を強化するためである。この相互接続機構は、複数のフック部を有し、少なくとも１つのフック部は前記レンズの前記第１の端部に付属し、少なくとも１つのフック部は前記レンズの前記第２の端部に付属する。この相互接続機構は、さらに、複数のラッチを有し、少なくとも１つのラッチは前記本体の前記第１の端部に枢着され、少なくとも１つのラッチは前記本体の前記第２の端部に枢着される。各ラッチは、各ラッチの前記第１の係合位置において、前記フック部の１つに係合して、前記レンズを前記本体の前記半硬質の前部と着脱自在に相互接続し、前記レンズの前記防曇加熱要素を前記電池と着脱自在に相互接続する。各ラッチの第２の係合解除された位置において、前記レンズは、前記本体の前記半硬質の前部から解放され、前記レンズの前記防曇加熱要素が前記電源から接続解除される。
【００３５】
本発明のこの観点の相互接続機構は、あるいは、複数のラッチゲートを有することができ、少なくとも１つのゲートは前記本体の前記第１の端部に枢着され、少なくとも１つのゲートは前記本体の前記第２の端部に枢着される。そのような各ゲートは、前記レンズの端部を前記本体に対して付勢することにより前記本体への前記レンズの取り付けを強化し、また各ゲートは、前記レンズの前記加熱要素および前記電池を相互接続する。また、そのような各ゲートは、前記レンズを解放して前記本体から外し、かつ、前記レンズの前記加熱要素を前記電池から接続解除するよう第２の位置へと動作可能である。
【００３６】
さらに、本発明のこの観点によれば、前記相互接続機構は、あるいは、シリコーン製のバンドおよびポストの組み合わせ、前記外部シリコーンスキンまたは外周部材、あるいはクリップタイプの相互接続を伴うポップオフフェイスを有することができ、これらは、すべて本発明のこれまでの観点に関連して前述したものである。
【００３７】
本発明の別の観点によれば、種々の天候、明暗、および曇り条件に対応するようなっている交換自在なレンズを伴うゴーグルが提供され、このゴーグルは、本体と、レンズと、前記レンズおよび前記本体を着脱自在に相互接続する剥離式の水平方向さねはぎ継ぎ機構と、ストラップ手段とを有する。
【００３８】
本発明のこの観点の本体、レンズ、およびストラップは、上述した本発明の他の観点の本体、レンズ、およびストラップと同様なものである。前記剥離式の水平方向さねはぎ継ぎ機構は、前記レンズの外周上に取り付けられる前記さねはぎ継ぎ部材の一方と、前記本体の前記半硬質の前部の外周上に取り付けられる他方とを有し、それにより、前記レンズと、前記本体の前記半硬質の前部とをリリース可能に相互接続する。あるいは、本発明のこの観点に係るゴーグルは、剥離式のキャップアンドリッジ継ぎ機構を有することができ、前記キャップは、前記レンズの外周上に取り付けられ、前記リッジは、前記本体の前記半硬質の前部の外周上に取り付けられ、前記レンズと、前記本体の前記半硬質の前部とを着脱自在に相互接続する。
【００３９】
本発明のこの観点に係る提供されるゴーグルは、加熱されるレンズを伴う、または伴わない使用に適しており、この場合、利用者は、所与の天候、明暗、および曇り条件、例えば前記ゴーグル内外の相対湿度、外部の温度、体温、より重い労作につながる地形難度、および気圧条件において、必要に応じてどのタイプのゴーグルレンズもすぐ利用できる状態で有することができる。ゴーグルの利用者は、任意の日にそのような条件について確実に予測できることがほとんどないため、任意の日に遭遇しうる多種多様な条件に幅広く適用可能なゴーグルを有することは重要である。
【００４０】
本発明のこの観点に係るゴーグルは、さねはぎ継ぎ機構を使用するかキャップアンドリッジ継ぎ機構を使用するかにかかわらず、さらに、相互接続機構、例えば前記本体に付属するラッチを有することができ、このラッチは開閉位置間で動作可能であり、閉位置では、当該ラッチが前記本体の前記半硬質の前部に対して前記レンズを付勢することにより、前記レンズと前記本体の前記半硬質の前部との前記着脱自在な相互接続を強化し、開位置では、前記レンズを解放して前記本体の前記半硬質の前部から取り外す。
【００４１】
さらに、本発明のこの観点によれば、前記相互接続機構は、あるいは、シリコーン製のバンドおよびポストの組み合わせ、前記外部シリコーンスキンまたはフェイス、あるいはクリップタイプの相互接続を伴うポップオフフェイスを有することができ、これらは、すべて本発明の第１の観点に関連して前述したものである。
【００４２】
さらに、本発明のこの観点に係るゴーグルのレンズは、さねはぎ継ぎ機構を使用するかキャップアンドリッジ継ぎ機構を使用するかにかかわらず、あるいはラッチを使用するか、シリコーン製のバンドおよびポストの組み合わせを使用するか、前記外部シリコーンスキンまたはフェイスを使用するか、またはポップオフフェイスを使用するかにかかわらず、前記レンズ上の防曇加熱要素であって、電池と接続するようなっている防曇加熱要素をさらに有することができる。そのような場合、前記レンズの前記本体への相互接続により、前記レンズ上の前記加熱要素も前記電池に相互接続される。
【００４３】
これにより、本発明のこの観点に係るゴーグルのレンズは、防曇手段を伴い、または伴わない晴天日用のものであっても、防曇手段を伴い、または伴わない曇天日用のものであっても、雨天日用のものであっても、豪雪日用のものであっても、これらの中間の気象条件用のものであっても、完全に交換自在なレンズと容易に併用できる。そのような場合、利用者は適切なレンズ交換をする気持ちが促進され、望ましいときにレンズを交換することで、前記ゴーグルが電気熱源と相互接続されることがほぼ自動的に確実になるため、本発明のゴーグルを使って適切に選択されたゴーグルにより視野が明瞭化し、安全への貢献につながる。
【００４４】
本発明の別の実施形態によれば、交換自在な防曇レンズを有し電池を併用するように構成されたゴーグルが提供され、このゴーグルは、半硬質の外周を伴い、第１および第２の端部と、前部と、後部とを有する本体と、前記外囲体の前記半硬質の後部に係合するようなっている半柔軟性の前部を有する外周レンズフレームであって、利用者の目の周囲で利用者の顔面に接触するようなっている可撓性後部を有する、外周レンズフレームと、前記レンズフレームに取り付けられたレンズであって、当該レンズはその上に電気加熱要素を有し、当該レンズおよび前記レンズフレームは、前記利用者の目にシールドを提供するため単一のゴーグル筐体を画成する、レンズとを有する。このゴーグル実施形態は、さらに、係合機構であって、前記レンズフレームに取り付けられる部分と、前記本体に取り付けられる部分とを有し、前記レンズフレームと前記本体の前記半柔軟性の後部とを着脱自在に相互接続するものである、前記係合機構と、前記本体に付属し、前記レンズの前記加熱要素および前記電池を切り離し自在に相互接続するようなっている相互接続ストラップ手段とを有し、前記相互接続ストラップ手段は前記係合機構とともに動作可能であり、前記レンズの前記加熱要素を前記電池と相互接続することにより前記レンズと前記本体の前記半硬質の前部との相互接続を強化し、また前記加熱要素と前記電池とを接続解除することで、前記レンズも前記本体の前記半硬質の後部から係合解除され解放されるよう、前記ストラップ手段は、利用者の頭部およびヘルメットのうち１つの周囲でゴーグルを保持するようなっている。本発明のこの実施形態の前記ゴーグル本体は、前記電池を保持するようなっていることが好ましく、さらに、この実施形態の本体は、前記電池用のオン・オフスイッチと、電池残量に関する信号を発するテストボタンとをさらに有することが好ましい。あるいは、前記電池は、前記ゴーグルの本体後部に搭載することもできるが、前記ストラップが前記本体およびフレームを一体的に保持している状態で前記レンズおよび外周フレームを前記本体の前部に取り付けられるようにして、前記電池と、前記レンズの前記加熱要素との相互接続を強化することもできる。本発明のこれらの追加特徴では、単に当該ゴーグルを利用者の頭部に装着するだけで、前記容易に交換自在なレンズおよび前記ゴーグル本体の係合が強化されるよう作用し、かつ、当該ゴーグルの前記加熱要素と前記電池電源との電気接続が行われるよう作用するため、前記ゴーグルは防曇モードでいっそう操作しやすくなる。本発明の他の実施形態および観点と同様、本発明のこの実施形態でも、前記電池は、前記ストラップ上または前記ストラップ内に搭載でき、ワイヤーは、前記ストラップの内外を通じて、前記ゴーグルの前記本体、または場合によってレンズフレームへと配線できる。
【００４５】
本発明の対象は、本明細書の結びの部分において具体的に指摘され、明確に主張される。ただし、動作・操作の編成も方法も、その付加的な利点および目的とともに、以下の説明を添付の図面と併せて参照することにより最適に理解でき、なお、添付の図面では同様な参照符号が同様な要素を示す。
【図面の簡単な説明】
【００４６】
【図１】図１は、本発明の一実施形態に係る交換自在な防曇レンズゴーグルの斜視図である。
【図２】図２は、図１のゴーグルの上面図であり、ストラップが利用者の頭部に装着され、防水電池パックが当該ゴーグルのストラップ部に取り付けられた状態で示されている。
【図３ａ】図３ａは、図１のゴーグルの色付きでないレンズ部の正面図であり、このレンズ部はその上に抵抗性コーティングの防曇手段を有する。
【図３ｂ】図３ｂは、図１のゴーグルの代替実施形態の色付きレンズ部の正面図であり、このレンズ部はその上に抵抗ワイヤー防曇手段を有する。
【図３ｃ】図３ｃは、図１のゴーグルの別の代替実施形態の色付きレンズ部の正面図であり、このレンズ部は防曇手段を有さない。
【図４ａ】図４ａは、さねはぎ継ぎ機構を伴うゴーグル代替実施形態の上面図であり、このゴーグル代替実施形態の取り外し可能なレンズおよびゴーグル本体部を、図４ｋで略示した断面とともに、前記取り外し可能なレンズを前記ゴーグル本体に装着する前の状態で示している。
【図４ｂ】図４ｂは、本発明に係るゴーグルのさねはぎ継ぎ機構を伴う代替実施形態の上面図であり、前記レンズおよび前記ゴーグル本体が強化ラッチまたはゲートを有しておらず、前記ゴーグル本体に前記レンズが装着された状態を、図４ｋで略示した断面とともに示している。
【図４ｃ】図４ｃは、本発明に係るゴーグルのさねはぎ継ぎ機構を伴う別の代替実施形態の上面図であり、防曇ゴーグルレンズおよび前記ゴーグル本体が強化ゲートを有し、前記ゴーグル本体に部分的に装着された状態を、図４ｋで略示した断面とともに示している。
【図４ｄ】図４ｄは、図４ｃのさねはぎ継ぎ機構を伴う代替実施形態の上面図であるが、前記ゴーグルの非防曇ゴーグルレンズが強化ゲートを有し、前記ゴーグル本体に装着された状態を、図４ｋで略示した断面とともに示している。
【図４ｅ】図４ｅは、さねはぎ継ぎ機構を伴う代替実施形態の防曇ゴーグルの上面図であり、当該ゴーグルの前記レンズが前記レンズフレーム内にあり、当該ゴーグルのストラップを前記ゴーグル上に伴い、当該ゴーグルを着用することで当該ゴーグル内のスイッチが付勢され、前記ゴーグルフレーム内の防曇回路が作動するようになっている状態を、図４ｋで略示した断面とともに示している。
【図４ｆ】図４ｆは、防曇ゴーグル用の代替シリコーン製バンドおよびポストを伴う相互接続機構の斜視図であり、当該ゴーグルの前記レンズフレームおよびゴーグル本体各部は、モジュール構成要素を分解した状態で示されている。
【図４ｇ】図４ｇは、防曇ゴーグル用の代替シリコーン製スキンまたはフェイスを伴う相互接続機構の斜視図であり、当該ゴーグルの前記シリコーン製スキンまたはフェイス、前記レンズ、および前記ゴーグル本体各部は、モジュール構成要素を分解した状態で示されている。
【図４ｈ】図４ｈは、防曇ゴーグル用の代替スリップオン式フェイスを伴う相互接続機構の斜視図であり、当該ゴーグルの前記フェイス、レンズ、およびゴーグル本体各部は、モジュール構成要素を分解した状態で示されている。
【図４ｉ】図４ｉは、防曇ゴーグル用の代替クリップオン式フルレンズフェイスを伴う相互接続機構の斜視図であり、当該ゴーグルの前記レンズフェイスまたはフレーム、およびゴーグル本体各部は、モジュール構成要素を分解した状態で示されている。
【図４ｊ】図４ｊは、防曇ゴーグル用の代替クリップオン式レンズを伴う相互接続機構の斜視図であり、当該ゴーグルの前記フェイス、レンズフレーム、およびゴーグル本体各部は、モジュール構成要素を分解した状態で示されている。
【図４ｋ】図４ｋは、防曇ゴーグル全般の正面図であり、図４ａ〜４ｅについて得られる断面を示している。
【図５ａ】図５ａは、図４ａのゴーグルの一実施形態の配線および相互接続機構の一部を詳細に示した図であり、前記レンズの断面が、このレンズを当該ゴーグルの前記ゴーグル本体に装着する前の状態で示されている。
【図５ｂ】図５ｂは、図４ａのゴーグルの一実施形態の配線および相互接続機構の一部を詳細に示した図であり、前記レンズの断面が、このレンズを当該ゴーグルの前記ゴーグル本体に部分的に装着した状態で示されている。
【図５ｃ】図５ｃは、図４ａのゴーグルの一実施形態の配線および相互接続機構の一部を詳細に示した図であり、前記レンズの断面が、このレンズを当該ゴーグルの前記ゴーグル本体に装着した状態で示されている。
【図６】図６は、さらに別の代替実施形態の係合機構を示した上部断面図であり、この係合機構は、本発明に係るゴーグル用のキャップアンドリッジ継ぎ（ｃａｐ−ａｎｄ−ｒｉｄｇｅ）機構を有する。
【図７】図７は、一次電源またはバックアップ二次電源に適した代替防水電池パックの正面図、側面図、背面図であり、この電池パックは、ゴーグルストラップ、他の機器、または他の衣類に取り付けるためのクリップを有し、本発明に係る交換自在な防曇レンズゴーグルとの併用に適している。
【発明を実施するための形態】
【００４７】
図１を参照すると、レンズ交換自在なゴーグル１００の実施形態用のレンズ交換自在なゴーグル構成要素が示されており、このレンズゴーグル１００は、本体１０２と、容易に交換自在なレンズ１０４と、レンズ−本体係合機構１０６と、任意選択的な相互接続手段または相互接続機構１０８と、ストラップ１１０とを有し、これらがすべて、種々の天候、明暗、およびゴーグル曇り条件への容易な適応を可能にするゴーグルを提供する。
【００４８】
防曇ゴーグル１００として使用されるこのゴーグルの前記レンズ１０４は、電源ケーブル１１６を通じて防水電源１１４に接続された抵抗ワイヤー防曇手段１１２をさらに有する。図７を参照すると、前記電源１１４は、携帯電話で従来どおり使用されるリチウムイオン電池またはリチウムポリマー電池を適切に有し、この電池はＯリングシール７１０と、衣類またはゴーグルストラップ１１０への取り付け用の回転可能なクリップ７０１とを伴うプラスチック防水ケース１１９に収容される。前記電池１１４は、オン−オフスイッチ１１８と、電池寿命インジケータスイッチ１２０と、電池寿命指標１２２、例えば当該ゴーグル１００の利用者に電池残量を示す種々の色のインジケータＬＥＤとを含むことが好ましい。前記レンズ１０４はレンズフレーム１１７をさらに有し、当該レンズフレーム１１７は係合機構１０６の前部すなわち表面を有し、当該係合機構１０６は、任意の着脱自在な取り付け機構、例えば図４ａに示す水平方向に設けられたさねはぎ継ぎ機構、または図６に示すキャップアンドリッジ継ぎ（ｃａｐ−ａｎｄ−ｒｉｄｇｅ  ｅｎｇａｇｅｍｅｎｔ）機構を有する。
【００４９】
本体１０２は可撓性後部１０１を有し、この後部１０１は、当該技術分野で知られているように利用者の顔面に接する発泡材またはゴムタイプの材料と、前記レンズ１０４に接する前部の比較的硬質な、実質的に半硬質の軽量プラスチックまたは他の適切な材料の部分１０３とを含む。前記本体１０２の前記可撓性後部１０１は、利用者の目の周囲および鼻梁上で利用者の顔面に接触する。この本体１０２はさらに前部外周を有し、前記係合機構１０６が図４ａに示したさねはぎ継ぎ機構の凸部４０９の場合、あるいは図６に示したキャップアンドリッジ継ぎ機構のリッジ部６０９の場合のいずれであっても、前記前部外周の周囲に前記係合機構１０６の一部が設置される。前記係合機構のどの部分が前記本体１０２の前記前部１０３の外周上にあっても、それに対応する継ぎ部材は、本明細書でさらに説明するように、前記レンズ１０４上に取り付けられ、係合機構１０６の２つの部分が接触および係合することにより、前記レンズが前記本体に着脱自在に取り付けられる。ただし、この取り付けで、前記レンズ１０４を前記本体１０２にシールする必要はない。前記レンズ１０４は、前記目から一定の距離だけ離間されて前記本体１０２の前記半硬質の前部に係合し、利用者の目にシールドを提供するようなっている。
【００５０】
図１を参照すると、相互接続機構１０８はパッチン錠（ｄｒａｗ  ｌａｔｃｈ）１０９を有し、このパッチン錠１０９は、レンズ１０４の金属化された凹部１１１にラッチすることが好ましい。前記パッチン錠の拇指で押圧する部分すなわち拇指押圧部１１３は、金属製であることが好ましく、利用者は、このパッチン錠を押し付けて前記ゴーグル本体１０２および前記レンズ１０４を相互接続することができる。前記パッチン錠１０９は、前記本体１０２への前記レンズ１０４係合を強化する役割を果たすだけでなく、本明細書で図４ａに関連してさらに説明するように、前記レンズ上の前記防曇抵抗手段１１２および前記電池電源１１４のワイヤー１１６を通じた電気接続を確立する。
【００５１】
ここで図２を参照すると、レンズ交換自在なゴーグル１００′の別の実施形態用のレンズ交換自在なゴーグル構成要素が示されており、このレンズゴーグル１００′は、本体１０２と、容易に交換自在なレンズ１０４と、レンズ−本体係合機構１０６と、任意選択的な相互接続手段または相互接続機構１０８と、ストラップ１１０とを有し、これらがすべて、種々の天候、明暗、およびゴーグル曇り条件への容易な適応を可能にするゴーグルを提供する。前記ストラップ１１０は、一対の旋回リング４３０で本体外周部１０５に取り付けられた状態で示されている。配線１１６は、適切なプラグ４３２で取り外し可能であるか、または単に前記本体１０２の前記本体外周部１０５に配線接続されるかのどちらかである。
【００５２】
図１の前記ゴーグル１００と図２の前記ゴーグル１００′との主な違いは、前記ゴーグル１００′のパッチン錠１０９′のバックル部１１５′が前記パッチン錠１０９′を中心に枢動する一方、前記ゴーグル１００のパッチン錠１０９のバックル部１１５は前記パッチン錠１０９と一体的である点である。その結果、前記パッチン錠１０９、１０９′の内部作用の一部は、前記２つの実施形態間でやや異なるが、前記ゴーグルの前記本体１０２に前記レンズ１０４を強固に係合させるため、またそれにより前記レンズ１０４の前記加熱要素防曇抵抗手段１１２と前記電池１１４とを相互接続するため、前記レンズ１０４のフック部１１１、４１０に前記パッチン錠１０９、１０９′の各々がクランプする機能は、どちらの実施形態でも本質的に同じである。
【００５３】
ここで図３ａ〜ｃを参照すると、３つの異なる本発明の実施形態についてレンズ部の正面図が示されている。図３ａは、本発明に係るゴーグルの薄い色付きの若しくは色付きでないレンズ部１０４′を示したもので、このレンズ部はその上に抵抗性のコーティング、膜、「ゲル」、または層の防曇手段１１２′を有する。図３ｂは、本発明に係るゴーグルの代替実施形態の色付きレンズ部（ｔｉｎｔｅｄ  ｌｅｎｓ）１０４"を示したもので、このレンズ部はその上に抵抗ワイヤー防曇手段１１２を有する。図３ｃは、本発明に係るゴーグルの別の代替実施形態の色付きレンズ部１０４"'を示したもので、このレンズ部は電池で加熱される防曇手段を有さない。
【００５４】
図２、３ａ〜ｃ、４ａおよび６を参照すると、前記レンズ部分１０４、１０４′、１０４"、１０４"'のいずれかに対する前記係合機構１０６の前記凸部４０９、凹部４０７、またはリッジ部６０９の取り付けは、成形、接着剤、および／または物理的なピン若しくはリベットタイプの取り付け手段により行われ、その場合は可能であれば、前記凸部、凹部、またはリッジ部の取り付け部は、レンズフレーム部１１７と一体的に形成され、または前記レンズフレーム部１１７の外周全体の周囲に耐久性のあるシール態様で成形されることが好ましい。
【００５５】
より具体的に図３ａ〜ｃを参照すると、色の濃淡が異なり、防曇手段特徴も異なる複数のレンズが示されている。図３ａのレンズ１０４′は、透明なレンズ表面３０２を有し、その上に透明な裏面を伴った防曇抵抗性コーティング１１２′、すなわち当該技術分野で知られたダブルレンズ構造を含むことにより、傷が付かないよう必要に応じて防曇表面を保護する。前記防曇抵抗性コーティング１１２′は、スプレー可能な、既知のイオンスパッタリング技術で成膜され、塗布され、または積層または適用されるインジウムスズ酸化物（Ｉｎｄｉｕｍ  Ｔｉｎ  Ｏｘｉｄｅ：ＩＴＯ）化合物を有することが好ましい。この膜加熱部材１１２′は、本発明の真の要旨を逸脱しない範囲で、電気回路に接続されて発熱する抵抗要素の形態で設計された別の材料から成るものであってもよい。
【００５６】
レンズ１０４′は、以下で開示する相互接続機構１０８または他の相互接続機構により、電源ケーブル１１６を通じた前記電源１１４への確動的な電気接続を可能にするようなっている相互接続または係合フック、プレート、または凹部４１０をさらに有する。レンズ１０４′は、さねはぎ継ぎタイプの係合機構、例えば図４ａの４０７、４０９のように、図３ａに示した前記レンズ上の係合機構１０６の一部が前記凸部または前記凹部のどちらか一方を有する場合であっても、キャップアンドリッジ継ぎ係合機構、例えば図６の６０７、６０９のように、図３ａに示した前記レンズ上の係合機構１０６の一部が前記キャップを有することが好ましい場合であっても、係合機構１０６の一部をさらに有する。いずれの場合も、前記レンズ１０４′に伴う前記係合機構１０６の一部は、前記レンズに相互接続され、好ましくは前記レンズ外周の周囲全体に延在して、前記ゴーグル１００の前記レンズ１０４′と前記本体１０２との間に完全でありながら着脱自在な取り付け部またはあるいはシールの形成を可能にする。前記レンズ１０４′に対する前記係合機構１０６の前記凸部４０９、凹部４０７、またはキャップ６０７部分の取り付けは、成形、接着剤、および／または物理的なピン若しくはリベットタイプの取り付け手段により行われ、その場合は可能であれば、前記凸部、凹部、またはキャップの取り付け部は、レンズ表面３０２と一体的に形成され、または当該レンズ表面の周囲に耐久性のある態様で、例えばプラスチックまたはシリコーンによるシールとして、強固に成形されることが好ましい。
【００５７】
ここで、より具体的に図３ｂを参照すると、レンズ１０４"は、防曇抵抗ワイヤー１１２を有する色付きレンズ表面３０２′を有し、その上に透明な裏面を伴った防曇抵抗性コーティング１１２′、すなわち当該技術分野で知られたダブルレンズ構造を含むことにより、傷が付かないよう必要に応じて防曇表面を保護する。レンズ１０４"は、以下で説明する相互接続機構１０８または他の相互接続機構により、電源ケーブル１１６を通じた前記電源１１４への確動的な電気接続を可能にするようなっている相互接続または係合フックまたはプレート４１０をさらに有する。レンズ１０４"は、さねはぎ継ぎタイプの係合機構の一部、例えば図４ａの４０７、４０９のように、図３ｂに示した前記レンズ上の係合機構１０６の一部が前記凸部または前記凹部のどちらか一方を有する場合であっても、キャップアンドリッジ継ぎ係合機構、例えば図６の６０７、６０９のように、図３ｂに示した前記レンズ上の係合機構１０６の一部が前記キャップを有することが好ましい場合であっても、係合機構１０６の一部をさらに有する。いずれの場合も、前記レンズ１０４"に伴う前記係合機構１０６の一部は、前記レンズに相互接続され、好ましくは前記レンズ外周の周囲全体に延在して、前記ゴーグル１００の前記レンズ１０４"と前記本体１０２との間に完全でありながら着脱自在な取り付け部またはあるいはシールの形成を可能にする。前記レンズ１０４"に対する前記係合機構１０６の前記凸部４０９、凹部４０７、またはキャップ６０７部分の取り付けは、成形、接着剤、および／または物理的なピン若しくはリベットタイプの取り付け手段により行われ、その場合は可能であれば、前記凸部、凹部、またはキャップの取り付け部は、レンズ表面３０２′と一体的に形成され、または当該レンズ表面の周囲に耐久性のある態様でシリコーンまたはプラスチックにより強固に成形されることが好ましい。
【００５８】
ここで、より具体的に図３ｃを参照すると、レンズ１０４"'は代替色付きレンズ表面３０２"を有しているが、本発明のゴーグルに非防曇レンズを使用することが、本システムを損傷することなく、または場合により電池寿命を低減することなく可能であることを示すため、この代替色付きレンズ表面３０２"の上には防曇抵抗性コーティングまたはワイヤーが含まれていない。この特徴により、当該ゴーグルは、前記電池がオンであってもオフであっても比較的細心の注意を払わずに使用可能になるため、利用者は、そのときどきの天候、地形、および明暗条件に適したゴーグルを選択しやすくなる。レンズ１０４"'は、以下で説明する相互接続機構１０８または他の相互接続機構により、確動的な電気接続を可能にするようなっている相互接続または係合フックまたはプレート４１０をさらに有する一方、配線を伴わない非防曇レンズが装着されている場合、前記相互接続機構は、電源ケーブル１１６を通じた前記電源１１４への電気接続を確立しないが、以下さらに詳しく説明するように、選択される本発明の実施形態に応じて係合機構を強化する。レンズ１０４"'は、さねはぎ継ぎタイプの一部、例えば図４ａの４０７、４０９のように、図３ｃに示した前記レンズ上の係合機構１０６の一部が前記凸部または前記凹部のどちらか一方を有する場合であっても、キャップアンドリッジ継ぎ係合機構、例えば図６の６０７、６０９のように、図３ｂに示した前記レンズ上の係合機構１０６の一部が前記キャップを有することが好ましい場合であっても、係合機構１０６の一部をさらに有する。いずれの場合も、前記レンズ１０４"'に伴う前記係合機構１０６の一部は、前記レンズに相互接続され、好ましくは前記レンズ外周の周囲全体に延在して、前記ゴーグル１００の前記レンズ１０４"'と前記本体１０２との間に完全でありながら着脱自在な取り付け部またはあるいはシールの形成を可能にする。前記レンズ１０４"'に対する前記係合機構１０６の前記凸部４０９、凹部４０７、またはキャップ６０７部分の取り付けは、成形、接着剤、および／または物理的なピン若しくはリベットタイプの取り付け手段により行われ、その場合は可能であれば、前記凸部、凹部、またはキャップの取り付け部は、レンズ表面３０２"と一体的に形成され、または当該レンズ表面の周囲に耐久性のある態様でシリコーンまたはプラスチックにより強固に成形されることが好ましい。
【００５９】
ここで、より具体的に図４ａおよび５ａ〜ｃを参照すると、代替実施形態のゴーグル１００′が示されており、このゴーグル１００′は、容易に交換自在なレンズ１０４′と、凸部４０９および凹部４０７を有するレンズ−本体係合機構１０６と、相互接続機構１０８′と、ストラップ１１０とを有し、これらがすべて、種々の天候、明暗、およびゴーグル曇り条件への容易な適応を可能にするゴーグルを提供する。当該ゴーグル１００′のゴーグル本体１０２およびレンズ１０４′は、ゴーグル１００に関連して説明した各々対応する構成要素と同様な材料から成る。前記レンズ１０４′は、利用者の目にシールドを提供するよう、前記目から一定の距離だけ離間されて前記本体１０２の前記半硬質の前部に係合するようなっている。
【００６０】
前記ゴーグル１００′は、その前記レンズ１０４′が、電源ケーブル１１６を通じて防水電源１１４に接続された抵抗膜防曇手段１１２をさらに有することから、防曇ゴーグルとして使用される。前記電源１１４は、本明細書でさらに説明するように、同じ要素および特徴を有する。
【００６１】
図１に示した前記ゴーグル１００と異なり、ゴーグル１００′はパッチン錠１０９′すなわち圧力式ラッチ（ｐｒｅｓｓｕｒｅ  ｌａｔｃｈ）およびフック４１０の相互接続機構を有するスタイルの相互接続機構１０８′を有する。この相互接続機構１０８′は、前記さねはぎ継ぎ機構４０７、４０９を強化する役割を果たし、これにより、例えば比較的極端な身体的活動中に落下しても、その衝撃で前記レンズ１０４′が外れてしまわないようにする。そのため、この相互接続機構１０８′は、ある意味で図４ｂに示すように任意選択的なものと見なすことができ、図４ｂでは、前記係合機構４０７、４０９をより厳密な公差で作製し、またはより穏やかなタイプの活動におけるゴーグル着用に使用することができ、その場合は、前記レンズ１０４′をゴーグル本体１０２外側の外周部１０５に係合させる上で、前記係合機構のみで十分と見なすことができる。
【００６２】
前記相互接続機構１０８′は、さらに、複合レンズ１０４′（例えば、ポリカーボネート製の主レンズおよびポリマー製の保護用内部コーティングを有する）内の前記抵抗膜防曇手段１１２と、前記レンズ１０４′および本体１０２の相互接続部上の前記電源１１４との間に電気接続を生じる役割も果たす。相互接続機構１０８′は、前記レンズ１０４′の第１および第２の外端部に取り付けられた金属製フック４１０を有する。これらのフック４１０は、図１において前記相互接続機構１０８の前部１１５と係合する凹部１１１とは若干異なる。相互接続機構１０８′は、さらに、代替拇指押圧部１１３′およびバックル１１５′をさらに有したパッチン錠１０９′を有する。抵抗膜防曇手段１１２′は、前記レンズフレーム１１７を貫通する電気接続ワイヤー４２０で前記抵抗膜１１２′と相互接続するようにレンズ１０４′上に配置される。バックル１１５′も（好ましくは拇指押圧部１１３′も）パッチン錠１０９′と同様に金属製で、前記金属製フック４１０と前記バックル１１５′の相互接続が前記係合機構１０６を強化すると同時に、配線４１９、１１６、抵抗膜１１２′（または代替態様として抵抗ワイヤー１１２）、ワイヤー４２０、金属製フック４１０、ラッチまたはクリップ１１５′、パッチン錠１０９′、および拇指押圧部１１３′から成る回路を閉じるようにできる。これは、前記相互接続機構１０８と機能的に同様である。このように、相互接続機構１０８′により前記レンズ１０４′は前記本体１０２に固定され、これと同時に前記防曇抵抗手段１１２と前記電池電源１１４間も確実に電気相互接続される。このように、本発明のこの態様は、新規なレンズ１０４を前記電源１１４と相互接続するための工程数を最高１つまたは２つまでに抑えることに貢献することにより、当該ゴーグルを使用するよう意図された活動を行っている利用者が本態様のゴーグルを使いやすく感じるようにしている。
【００６３】
このようにして、凹部４０７および凸部４０９を含む係合機構１０６により前記レンズ１０４′の係合を強化するよう使用される前記相互接続機構１０８′は、前記レンズの強化と同時に上述の回路も完成させる。
【００６４】
前記係合機構１０６の前記さねはぎ継ぎ機構４０９、４０７では、前記凸部４０９が前記本体１０２の外周前部１０３に付属して示されており、この凸部は、本明細書でさらに説明するように、前記本体の前記外周前部上に形成され、またはこれに取り付けられる。前記さねはぎ継ぎ機構１０６の前記凹部４０７は、前記レンズフレーム１１７に形成される。
【００６５】
前記ストラップ１１０は、図２に示したように利用者の頭部またはヘルメット８に前記ゴーグル１００′を快適に保持できるよう、伸縮性で弾性のある従来の調整可能な弾性ストラップを有することができる。このストラップは、調整部材１２１で調整できる。さらに、前記防水性の電池ケースは、縫製により前記ストラップ１１０に内設でき、または前記ストラップ上または前記ストラップ内に保持できる。
【００６６】
具体的に図５ａを参照すると、パッチン錠１０９"を有する相互接続機構１０８"の作用が例示されている。図５ａでは、前記ラッチまたはクリップ１１５が前記レンズ上の前記フック４１０に係合されていないため、利用者は前記レンズ１０４′を自由に取り外すことができる。利用者は、前記レンズ１０４′の前記凹部４０７を前記本体１０２の前記凸部４０９に相互接続して本明細書で説明した電気回路を閉じる場合、前記パッチン錠１０９"の前記拇指押圧部１１３"を引き上げて図５ｂに示すように前記フック４１０内に前記ラッチ１１５を配置しなければならない。これを行ったら、利用者は前記拇指押圧部１１３"を押し、図５ｃに示すように前記パッチン錠１０９"を閉じて、前記レンズ１０４′が前記本体１０２の前記凸部４０９上に押し付けられるようにし、前記レンズ１０４′上または前記レンズ１０４′内の前記抵抗要素１１２への給電を可能にするため前記回路を完成する。
【００６７】
ここで図４ｂを参照すると、本発明の代替実施形態が開示され、ゴーグル１００"が示されている。ゴーグル１００′および１００と同様、ゴーグル１００"も本体１０２′を有し、さらに、外周１０５′と、前部１０３′と、利用者の顔面にレンズ１０４"を係合させる後部１０１′とを有し、さらに、レンズフレーム１１７"およびストラップ１１０を有する。また、本発明のこの実施形態には係合機構１０６も開示されており、この係合機構１０６は、凸部４０９および凹部４０７を有する。本発明の他の実施形態と同様、レンズ１０４"は、必要に応じて特定の色の濃淡特性を有したレンズ表面３０２を有し、さらに、抵抗レンズ配線１１２または膜１１２′を有する。ゴーグル１００および１００′と同様、ゴーグル１００"でも前記レンズ１０４"の前記後部が前記本体１０２′の前記前部１０３′に装着されると同時に、前記抵抗レンズ配線１１２または抵抗膜１１２′と、防水ケース１１９に収容された電池電源１１４との間に電気接続が行われ、前記防水ケース１１９は、オン・オフスイッチ１１８、残りの電池寿命スイッチ（ｒｅｍａｉｎｉｎｇ  ｂａｔｔｅｒｙ  ｌｉｆｅ  ｓｗｉｔｃｈ）１２０、および電池寿命指標１２２を有する。
【００６８】
ゴーグル１００"とゴーグル１００、１００′の主な違いは、図４ｂのゴーグル１００"がパッチン錠タイプの強化用相互接続機構を含まない点にある。ただし、前記凸部４０９および凹部４０７は、これらの比較的強力な相互接続構成要素で作製して、前記凸部と前記凹部の係合を強化することができる。当該ゴーグル１００"のゴーグル本体１０２′およびレンズ１０４"は、ゴーグル１００に関連して説明したものと同様な材料から成る。前記レンズ１０４"は、利用者の目にシールドを提供するよう、前記目から一定の距離だけ離間されて前記本体１０２′の前記半硬質の前部に係合するようなっている。
【００６９】
ゴーグル１００"には、配線１１２または膜１１２′を電池電源１１４と相互接続する相互接続機構が含まれている。前記防曇手段１１２、または他の電気的ニーズ、例えばヘッドアップディスプレイシステム用の前記電気的な相互接続では、前記凹部４０７の金属化された内面が前記配線１１２または膜１１２′に接続する一方、前記凸部４０９も金属化されて、これらと前記電池１１４の電気接続をワイヤー４１９および１１６を通じて可能にする。
【００７０】
ここで図４ｃを参照すると、本発明のさらに別の代替実施形態が開示され、ゴーグル１００"'が示されている。本発明を有する他のゴーグルと同様、ゴーグル１００"'も、外周１０５"、レンズ１０４"を伴う本体１０２"を有し、さらに、レンズフレーム１１７"およびストラップ１１０を有する。また、本発明のこの実施形態には係合機構１０６も開示されており、この係合機構１０６は、凸部４０９および凹部４０７を有する。本発明の他の実施形態と同様、レンズ１０４"は、必要に応じて特定の色の濃淡特性を有したレンズ表面３０２を有し、さらに、抵抗レンズ配線１１２または膜１１２′を有する。当該ゴーグル１００"'のゴーグル本体１０２"およびレンズ１０４"は、ゴーグル１００に関連して説明した同様な構成要素と同様な材料から成る。前記レンズ１０４"は、利用者の目にシールドを提供するよう、前記目から一定の距離だけ離間されて前記本体１０２"の前記半硬質の前部に係合するようなっている。
【００７１】
ゴーグル１００、１００′、１００"と同様、ゴーグル１００"'でも前記レンズ１０４"の前記後部が前記本体１０２′の前記前部１０３に装着されると同時に、前記抵抗ワイヤー１１２または抵抗膜１１２′と、防水ケース１１９に収容された電池電源１１４との間に電気接続が行われ、前記防水ケース１１９は、オン・オフスイッチ１１８、残りの電池寿命スイッチ１２０、および電池寿命指標１２２を有する。
【００７２】
図４ｃのゴーグル１００"'は、さらに、相互接続機構１０６"を強化するゲートタイプのラッチを有し、前記相互接続機構１０６"は、枢軸４５４上で前記本体１０２"に付属しその周囲で枢動自在なベース部材４５０と、フィンガー部材４５２とをさらに有する。このゲートラッチ相互接続機構１０６"は、前記フィンガー部材の遠端が前記フレーム１１７"または前記レンズ１０４"の前記表面３０２または３０２′に係合すると、前記本体上の定位置にスナップ嵌合し、これにより前記レンズが定位置に保たれるだけでなく、前記凹部４０７の金属化された内面４１１とポスト（支柱）４０９の金属化された表面４１７との電気接続も確立されるよう前記レンズ１０４"が付勢され、この場合、前記凹部は前記抵抗加熱要素１１２と相互接続され、前記ポストは前記配線４１９と相互接続され、転じて配線１１６および前記電池１１４に接続される。
【００７３】
ここで図４ｄを参照すると、ゴーグル１００"も、図４ｃに関連して説明したように相互接続機構１０６"を強化するゲートタイプのラッチを有し、前記相互接続機構１０６"は、枢軸４５４上で前記本体１０２"に付属しその周囲で枢動自在なベース部材４５０と、フィンガー部材４５２とをさらに有する。前記ゲートラッチ相互接続機構１０６"は、前記フィンガー部材の遠端が前記フレーム１１７"または前記表面３０２"に係合すると、前記本体１０２"上の定位置にスナップ嵌合して、前記レンズ１０４"'が定位置に保たれるよう当該レンズを付勢する。このゴーグル実施形態では、レンズ１０４"'内に加熱要素１１２、１１２′がないため、抵抗加熱要素１１２、１１２′と電池電源１１４間の電気接続は確立されない。
【００７４】
この図４ｄの実施形態では、前記電池を使用していないとき、電池１１４のスイッチ１１８をオンまたはオフにした状態で非防曇レンズを当該ゴーグル内に配置しても、前記電池を損傷せず、または過度に消耗させないことを例示している。また、この図４ｄの実施形態は、本発明の真の要旨を逸脱しない範囲で、種々の係合および相互接続機構を使用する種々のゴーグル本体で種々のレンズを交換できることを例示している。
【００７５】
ここで図４ｅを参照すると、外周内部レンズフレーム４７０を有する代替実施形態ゴーグル４６８が示されており、このゴーグル４６８は、さらに、レンズ４７６を保持する半硬質から半柔軟性の前部４７５と、単一開放型のゴーグル本体（ｅｎｃｌｏｓｕｒｅ）として利用者の目および鼻梁に隣接して利用者の顔面と係合する準備が整ったより軟質で可撓性発泡ゴム状の後部４７９とを有する。
【００７６】
前記レンズフレーム４７０は、電気接触目的で少なくとも部分的に金属化されてレンズ・本体外周さねはぎ継ぎ部材４８０の一部として作用する凹部４７４を画成する。前記レンズ４７６は、前記内部レンズフレーム４７０内に保持され、その上に抵抗性の防曇加熱要素４８２、例えば抵抗膜加熱要素または抵抗ワイヤー加熱要素が配置され、前記抵抗加熱要素は、４７７において前記金属化された凹部４７４に電気接続される。前記ゴーグル４６８は、さらに、前部、外周、第１および第２の端部を有し、外周凸部４８６をさらに有する半硬質から半柔軟性の本体部材４８４を有し、前記外周凸部４８６は、電気接触目的で前記凹部４７４との係合用に少なくとも部分的に金属化される。前記凸部４８６は、４８７でワイヤー４８８と電気接続され、前記本体部材４８４の端部４６５、４６７を通じ、やはり前記本体部材内に収容された電池４９０へと接続される。ゴーグル４６８の前記ゴーグル本体部材４８４、レンズフレーム４７０、およびレンズ４７６は、ゴーグル１００に関連して説明した類似の構成要素と同様な材料から成る。前記レンズ４７６は、利用者の目にシールドを提供するよう、前記レンズフレーム４７０により利用者の目から一定の距離だけ離間されて保たれる。
【００７７】
前記電池４９０の前記抵抗要素４８２への接続は、前記本体に搭載されたオン・オフスイッチ４９２を有し、前記本体には電池テストボタン４９４、そして電池残量インジケータ４９５も搭載される。前記オン・オフスイッチ４９２を押すと、前記電池残量インジケータ４９５と、熱または電力レベルインジケータ４９９とが示され、好ましくは前記ゴーグル４６８の利用者に対し当該ゴーグル内に表示される。ゴーグル４６８は、さらに、このゴーグルを利用者の頭部またはヘルメットに保持するため、前記本体４８４の前記端部４６５、４６７にコネクタ４６３で取り付けられたストラップ４９６を有する。前記外周凸部４８６および凹部４７４は、任意選択的に、当該凸部および／または凹部にわずかなデテントを設けることにより、前記外周凸部および凹部をわずかに離間させて保持する逃げとともに嵌合させることができ、これにより利用者がその頭部に前記ゴーグルを装着するまで、前記抵抗要素４８２と前記電池４９０の電気接触が起こらず、装着後は前記ストラップ４９６が前記凸部と前記凹部間の前記任意選択的なバネ付勢またはデテントを克服するようにできる。あるいは、前記凸部４８６および凹部４７４の逃げは、前記ストラップ４９６が利用者の頭部に装着されているかどうかにかかわらず、各々一体的な電気接触を付勢する嵌合をもたらすものであってよい。言うまでもなく、前記ゴーグル４６８は、その前記レンズ４７６内に抵抗ワイヤーまたは抵抗膜の防曇手段を使用しても、防曇手段を使用しなくともよい。
【００７８】
ここで図４ｆを参照すると、ゴーグル５００は、外部レンズフレーム５０２を有した状態で示されており、この外部レンズフレーム５０２は、プラスチック、シリコーン、または他の弾性、あるいは粘着性または伸縮性の材料で作製されることが好ましく、レンズ５０４の外周を取り囲む。レンズ５０４は、その上に抵抗ワイヤー１１２または抵抗膜１１２′のどちらか一方の防曇手段加熱要素を有する。前記レンズ５０４の各端部５０３、５０５上には、前記レンズの係合を強化するため、伸縮性で好ましくはシリコーンであり相互接続機構５０６、５０８として作用する材料のループまたはバンド５０６、５０８がある。ループまたはバンド相互接続機構５０８は、このループまたはバンド相互接続機構の把持、ならびに前記レンズフレーム５０２に対する装着および取り外しを容易にするため、前記ループバンドの最遠端でプルタブ５１０をさらに有することが好ましい。
【００７９】
ゴーグル５００は、さらにゴーグル外周本体５１２を有し、このゴーグル外周本体５１２は、半柔軟性ながら弾性のあるプラスチックで作製されることが好ましい。前記プラスチック本体５１２の各端部５１１、５１３には、それぞれポスト５１４、５１５があり、各ポストは、当該ポストの周囲に形成され、それに対応した伸縮性シリコーンループバンド５０６、５０８を受容および保持するようなっているチャネル（溝）５１６、５１７をそれぞれ有する。前記ゴーグルレンズフレーム５０２は、プラスチックまたはシリコーンで作製でき、当該ゴーグル５００のゴーグル本体５１２およびレンズ５０４は、ゴーグル１００に関連して説明したものと同様な材料から成る。前記レンズ５０４は、利用者の目にシールドを提供するよう、前記目から一定の距離だけ離間されて前記本体５１２の前記半硬質の前部に係合するようなっている。
【００８０】
前記レンズフレーム５０２は、このレンズフレーム両側の端部に１つずつ、一対の接点５２６、５２８をさらに有し、前記ゴーグル本体５１２は、各ポスト５１４、５１５の前部に１つずつ設けられることが好ましい一対の接点５３０、５３２をさらに有する。前記ゴーグル５００は、さらに、前記ゴーグル本体５１２の端部５１１または５１３のどちらか一方に付属するシリコーンストラップ延長部材５２０、５２２をそれぞれ有する。前記バンド５０６、５０８を各々のポスト５１４、５１５周囲で引き伸ばすと、前記レンズフレーム５０２が前記ゴーグル本体５１２に確実に係合し、前記ゴーグル本体５１２または前記ストラップ延長部材５２０、５２２に内設された電池５１９と前記抵抗膜防曇手段１１２′とが電気接続される。この電気接続は、前記レンズフレーム５０２上の接点５２６、５２８と、前記ゴーグル本体５１２の前記ポスト５１４、５１５上の接点５３０、５３２とをそれぞれ通じて行われる。
【００８１】
本発明のゴーグルの他の実施形態と同様、前記ゴーグル５００は、さらに、前記ゴーグル本体５１２の後部に、例えば接着剤で取り付けられて、利用者の顔面との快適なインターフェースを当該ゴーグル５００に提供する後部発泡ゴム製インターフェース（フェイスパッド）部材５２４と、利用者の頭部またはヘルメットに当該ゴーグルを保持する上で役立つ繊維ストラップ部５０７とを有する。
【００８２】
ゴーグル５００は、さらに、前記ゴーグル本体５１２の各端部５１１、５１３上にそれぞれ、好ましくはポスト５１４、５１５上にそれぞれ、前記レンズ５０４上の前記防曇手段１１２または１１２′のオン・オフおよび加熱レベルを制御するボタン５３４、５３６を有する。前記オン・オフボタン５３４を押すと、熱源５１９がオンにされる。あるいは、前記電池残量インジケータ（図示せず）と、熱または電力レベルインジケータ（図示せず）とが示され、好ましくは前記ゴーグル５００の利用者に対し当該ゴーグル内に表示される。前記オン・オフボタン５３４を再び押すと加熱がオフにされ、より正確には、極めて低い電力状態まで加熱が低減される。前記ボタン５３６を押すと、前記防曇手段１１２′（または図示していない１１２）に適用される電力レベルが調整され、また当該防曇手段に適用されている電力のレベルが電力レベルディスプレイ５４０に示される。短時間後、前記インジケータ５３８および５４０は、必要以上に利用者の注意を引かないようオフになることが好ましい。また、回路５８８は、標準的なＵＳＢその他の電源コネクタの充電用レセプタクル５７５、前記電池５１９、そして電力のオンまたはオフ、電力レベルの増減、電力レベル指標、および電気ライトパイプなどを使った電池レベル指標を制御する論理を相互接続する。
【００８３】
ここで図４ｇを参照すると、本発明に係る代替実施形態のゴーグル６００が提供されている。このゴーグル６００は、端部６１１、６１２を有する本体６１２を有し、当該端部６１１、６１２は、そこから付属するシリコーン延長部材６２０、６２２を伴う。前記ゴーグル本体６１２は、複数の取り付け用レセプタクル６０５と、少なくとも１つの取り付け用下方リップ部６０３と、当該ゴーグル本体６１２内の電池電源６１９とをさらに有する。前記電源６１９は、代替態様として前記シリコーン延長部材６２０、６２２上に搭載することもできる。ゴーグル６００は、さらに別個のレンズ６０４を有し、このレンズ６０４は、その上に抵抗膜またはコーティング防曇手段１１２′、または抵抗ワイヤー防曇手段１１２を有する。ゴーグル本体６１２には接点６２４、６２６が設けられ、それに対応した接点６２８、６３０がレンズ６０４上に設けられて、前記レンズの前記抵抗加熱手段１１２′および前記電池電源６１９との相互接続を可能にする。外部フェイス部材６０２は、前記レンズ６０４を前記ゴーグル本体６１２と相互接続するため設けられ。この外部フェイス部材６０２は、シリコーンで作製されることが好ましく、前記ゴーグル本体の前記下方リップ部６０３に着脱自在に係合するより下方の外部リップ部６３２を有する。前記外部フェイス部材６０２は、前記ゴーグル本体６１２の取り付け用レセプタクル６０５に挿入して前記シリコーンフェイス部材および前記ゴーグル本体を、それらシリコーンフェイス部材およびゴーグル本体に介設されて定位置に保たれる前記レンズに相互接続するための上方小突起６３５および側部小突起６３５をさらに有する。前記ゴーグルのフェイスまたはスキン６０２は、シリコーンから成ることが好ましく、当該ゴーグル６００のゴーグル本体６１２およびレンズ６０４は、ゴーグル１００に関連して説明したものと同様な材料から成る。前記レンズ６０４は、利用者の目にシールドを提供するよう、前記目から一定の距離だけ離間されて前記本体６１２の前記半硬質の前部に係合するようなっている。
【００８４】
このように、前記レンズ６０４上の前記防曇手段１１２′は、６２４、６２６、６２８、６３０を通じて前記ゴーグル本体６１２と接触する。
【００８５】
図４ｅに関連して示したものと同様な電気回路６８８は、ゴーグル６００の前記ゴーグル本体６１２に内設され、図４ｅに示した接点４７７と同様な接点（例えば、バスバー）６２８、６３０を前記レンズ６０４上に伴い、図４ｅに示した接点４８７と同様な接点６２４、６２６を前記ゴーグルフレーム上に伴い、配線６８８は前記ゴーグル本体６１２内を通じて設けられて、前記抵抗膜加熱手段１１２′と、前記電池６１９と、前記ＵＳＢまたは他の電力接続部と、充電用レセプタクル６７５、オン・オフボタン６３４と、電力レベル調整ボタン６３６と、インジケータ６３８、６４０とを相互接続する。
【００８６】
本発明のゴーグルの他の実施形態と同様、前記ゴーグル６００は、さらに後部発泡ゴム製インターフェース（フェイスパッド）部材６２５を有し、この後部発泡ゴム製インターフェース部材６２５は、前記ゴーグル本体６１２の後部に、例えば接着剤で取り付けられて、利用者の顔面との快適なインターフェースを当該ゴーグル６００に提供する。また、当該ゴーグル６００は、繊維ストラップ部６０７を有することが好ましい。前記ゴーグル本体６１２には、前記電池６１９が残量ゼロになった場合に備え、またはレンズ６０４上に防曇手段１１２′または１１２がない場合に備え、凝縮水および曇りを除去するため通気口６２１を含めて換気を促進することもできる。
【００８７】
ゴーグル６００は、さらに、前記ゴーグル本体６１２の各端部６１１、６１３上にそれぞれ前記レンズ６０４上の前記防曇手段１１２または１１２′のオン・オフおよび加熱レベルを制御するボタン６３４、６３６を有する。前記オン・オフボタン６３４を押すと、前記電源６１９がオンにされ（回路に含められ）、電池残量インジケータ６３８と、熱または電力レベルインジケータ６４０とが、好ましくは前記ゴーグル６００の利用者に対し当該ゴーグル内に表示される。前記オン・オフボタン６３４を再び押すと加熱がオフにされ、より正確には、極めて低い電力状態まで加熱が低減される。前記ボタン６３６を押すと、前記抵抗性コーティングまたは膜の防曇手段１１２′、あるいは抵抗ワイヤー防曇手段１１２（図示せず）に適用される電力レベルが調整され、また当該防曇手段に適用されている電力のレベルが電力レベルディスプレイ６４０に示される。短時間後、前記インジケータ６３８および６４０は、必要以上に利用者の注意を引かないようオフになることが好ましい。また、前記回路６８８は、好ましくは標準的なＵＳＢ充電用レセプタクル６７５、前記電池６１９、そして電力のオンまたはオフ、電力レベルの増減、電力レベル指標、および電気ライトパイプなどを使った電池レベル指標を制御する論理を相互接続する。
【００８８】
ここで図４ｈを参照すると、図４ｇのゴーグル６００と同様なゴーグル７００が示されている。ゴーグル６００同様、ゴーグル７００は、ゴーグル本体７１２を有し、そこから付属するシリコーン延長部材７２０、７２２を有する。ゴーグル７００は、複数の取り付け用スロット７０５と、指押圧取り外し補助部材７０６と、取り付け用下方リップ部７０３と、前記シリコーン延長部材７２０、７２２に搭載され、あるいは前記ゴーグル本体７１２に内設された電池電源７１９とを有する。ゴーグル７００は、さらに別個のレンズ７０４を有し、このレンズ７０４は、その上に抵抗ワイヤー防曇手段１１２、または抵抗膜防曇手段１１２′を有する。ゴーグル本体７１２には接点７２４、７２６が設けられ、それに対応した接点７２８、７３０がレンズ７０４上に設けられて、前記レンズと前記電池電源７１９との相互接続を可能にする。外部ポップオフ（取り外し）フェイス部材７０２は、前記レンズ７０４を前記ゴーグル本体７１２と相互接続するため設けられ。この外部ポップオフフェイス部材は、プラスチックで作製され、当該外部ポップオフフェイス部材を前記ゴーグル本体に着脱自在に係合する複数の取り付け用プロング７３２を有する。これにより、前記外部ポップオフフェイス部材７０２および前記ゴーグル本体７０２は、前記レンズ７０４が前記ゴーグル本体と前記外部ポップオフフェイス部材との間に介設されて定位置に保たれた状態で、前記レンズ７０４と相互接続される。前記外部ポップオフフェイス部材７０２は、シリコーンから成るものであってよいが、当該ゴーグル７００の前記フェイス部材、ゴーグル本体７１２、およびレンズ７０４は、それらに対応する、ゴーグル１００に関連して説明した構成要素と同様な材料から成る。前記レンズ７０４は、利用者の目にシールドを提供するよう、前記目から一定の距離だけ離間されて前記本体７１２の前記半硬質の前部に係合するようなっている。
【００８９】
また、前記レンズ上の前記防曇手段１１２′は、前記ポップオフフェイス部材７０２により、前記ゴーグル本体７１２に対して定位置に保たれるため、前記防曇手段は、７２４、７２６、７２８、７３０を通じて前記ゴーグル本体に接触する。
【００９０】
図４ｅに関連して示したものと同様な電気回路は、ゴーグル７００の前記ゴーグル本体７１２に内設され、図４ｅに示した接点４７７と同様な接点（例えば、バスバー）７２８、７３０を前記レンズ７０４上に伴い、図４ｅに示した接点４８７と同様な接点７２４、７２６を前記ゴーグルフレーム上に伴い、配線７８８は前記ゴーグル本体７１２内を通じて設けられて、前記抵抗加熱手段１１２′と、前記電池７１９と、前記ＵＳＢまたは他の電力接続部と、再充電用レセプタクル７７５、オン・オフボタン７３４と、電力レベル調整ボタン７３６と、インジケータ７３８、７４０とを相互接続する。
【００９１】
本発明のゴーグルの他の実施形態と同様、前記ゴーグル７００は、さらに、前記ゴーグル本体７１２の後部に、例えば接着剤で取り付けられて、利用者の顔面との快適なインターフェースを当該ゴーグル７００に提供する後部発泡ゴム製インターフェース（フェイスパッド）部材７２５を有する。また、当該ゴーグル７００は、繊維ストラップ部７０７を有することが好ましい。
【００９２】
ゴーグル７００は、さらに、前記ゴーグル本体７１１の各端部７１３、７１２上にそれぞれ前記レンズ７０４上の前記防曇手段１１２または１１２′のオン・オフおよび加熱レベルを制御するボタン７３４、７３６を有する。前記オン・オフボタン７３４を押すと、前記電池７１９がオンにされ（すなわち回路に含められ）て、前記抵抗加熱手段１１２′に供電し、電池残量インジケータ７３８と、熱または電力レベルインジケータ７４０とが、好ましくは前記ゴーグル７００の利用者に対し当該ゴーグル内に表示される。前記オン・オフボタン７３４を再び押すと加熱がオフにされ、より正確には、極めて低い電力状態まで加熱が低減される。前記ボタン７３６を押すと、前記防曇手段１１２または１１２′に適用される電力レベルが調整され、また当該防曇手段に適用されている電力のレベルが電力レベルディスプレイ７４０に示される。短時間後、前記インジケータ７３８および７４０は、必要以上に利用者の注意を引かないようオフになることが好ましい。また、前記回路７８８は、好ましくは標準的なＵＳＢ充電用レセプタクル７７５、前記電池７１９、そして電力のオンまたはオフ、電力レベルの増減、電力レベル指標、および電気ライトパイプなどを使った電池レベル指標を制御する論理を相互接続する。
【００９３】
ここで図４ｉを参照すると、代替実施形態ゴーグル８００が開示されており、このゴーグル８００は、端部８１１、８１３とそこから付属する繊維ストラップ８０７を有したゴーグル本体８１２を有する。前記ゴーグル本体８１２は、複数の取り付け用レセプタクル８０５と、当該ゴーグル本体８１２内の電池電源８１９とを内設して有する。ゴーグル８００は、さらにレンズ８０４を有し、このレンズ８０４は、前記ゴーグル本体８１２に対し取り付け可能および着脱自在なポップオフ（取り外し）後部フレーム８０９上に一体化され、当該レンズ８０４上に抵抗膜またはコーティング防曇手段１１２′、または抵抗ワイヤー防曇手段１１２を有する。ゴーグル本体８１２には電源コネクタレセプタクル８２４、８２６が設けられ、それに対応した電源コネクタ８２８、８３０が前記ポップオフ後部フレーム８０９上に設けられて、前記レンズ８０４の前記抵抗性防曇手段１１２′および前記電池電源８１９との相互接続を可能にする。前記ポップオフ後部フレーム８０９の後部には、これに付属して、複数の押圧スナップフィットクリップ８３５が取り付けられ、それに対応した取り付け用レセプタクル８０５に挿入される。このように係合した前記ポップオフ後部フレーム８０９および前記ゴーグル本体８１２は、着脱自在に相互接続され、前記レンズ８０４の前記防曇手段１１２′は、電源コネクタソケット８２４、８２６および電源コネクタ８２８、８３０を通じて前記ゴーグル本体８１２上の前記電池８１９へ電気的に相互接続される。前記レンズ８０４およびレンズ後部フレーム８０９は、前記スナップフィットクリップ８３５により前記ゴーグル本体上で定位置に保たれ、前記スナップフィットクリップ８３５は、前記それに対応した取り付け用レセプタクル８０５内で当該クリップ上のフックにより保持される。取り外し支援凹部８０１は、前記ゴーグル本体８１２からの前記後部フレーム８０９分離を補助するよう使用される。ゴーグル８００の前記ゴーグル本体８１２、前記レンズ後部フレーム８０９、および前記レンズ８０４は、ゴーグル１００に関連して説明した対応する構成要素と同様な材料から成る（前記レンズ後部フレーム８０９は、前記係合機構１０６にほぼ対応する）。前記レンズ８０４は、利用者の目にシールドを提供するよう、前記目から一定の距離だけ離間されて前記本体８１２の前記半硬質の前部に係合するようなっている。
【００９４】
図４ｅに関連して示したものと同様な電気回路は、ゴーグル８００の前記ゴーグル本体８１２に内設され、図４ｅに示した接点４７７と同様な電源コネクタ８２８、８３０を前記レンズ後部フレーム８０９上に伴い、図４ｅに示した接点４８７と同様な電源コネクタレセプタクル８２４、８２６を前記ゴーグルフレーム上に伴い、配線８８８は前記ゴーグル本体８１２およびレンズ後部フレーム８０９内を通じて設けられて、前記抵抗加熱手段１１２′と、前記電池８１９と、前記ＵＳＢまたは他の電力接続部と、再充電用レセプタクル８７５、オン・オフボタン８３４と、電力レベル調整ボタン８３６と、インジケータ８３８、８４０とを相互接続する。
【００９５】
ゴーグル８００は、さらに、前記ゴーグル本体８１２の端部８１１上に、前記レンズ８０４上の前記防曇手段１１２または１１２′のオン・オフおよび加熱レベルを制御する複数のボタン８３４、８３６を有する。前記オン・オフスイッチ８３４を押すと、電池残量インジケータ８３８と、熱または電力レベルインジケータ８４０とが、好ましくは前記ゴーグル８００の利用者に対し当該ゴーグル内に表示される。前記ボタン８３６を押すと、前記防曇手段１１２または１１２′に適用される電力レベルが調整され、また当該防曇手段に適用されている電力のレベルが電力レベルディスプレイ８４０に示される。短時間後、前記インジケータ８３８および８４０は、必要以上に利用者の注意を引かないようオフになることが好ましい。また、前記回路８８８は、好ましくは標準的なＵＳＢ充電用レセプタクル８７５、前記電池８１９、そして一連の電気ライトパイプなどを使って電力のオンまたはオフ、電力レベルの増減、電力レベルの指標、および電池レベルの指標を制御する論理を相互接続する。
【００９６】
ここで図４ｊを参照すると、ゴーグル本体９１２を有するゴーグル９００が示されており、前記ゴーグル本体９１２は、端部９１１、９１３とその各々に可撓性を有する態様で付属したシリコーン延長部材９２０、９２２、ならびに各シリコーン延長部材に付属する繊維ストラップ９０７を伴う。ゴーグル９００は、前記ゴーグル本体９１２の前部前面上に形成された複数の取り付け用レセプタクル９０５と、前記シリコーン延長部材９２０、９２２に搭載され、あるいは前記ゴーグル本体９１２に内設された（図示せず）電池電源９１９とを有する。ゴーグル９００は、さらに、外周ポップオフレンズフレーム９０９に内設されたレンズ９０４を有し、このレンズ９０４は、その上に抵抗膜防曇手段１１２′、または抵抗ワイヤー防曇手段１１２を有する。ゴーグル本体９１２には接点９２４、９２６が設けられ、それに対応した接点９２８、９３０がレンズ９０４上に設けられて、コネクタ９９７、９９８を通じた前記レンズと前記電池電源９１９との相互接続を可能にする。外部剥離シリコーンフェイス部材またはスキン９０２は、前記ポップオフレンズフレーム９０９を覆うよう設けられ、当該外部剥離シリコーンフェイス部材またはスキン９０２の後部外周の内部リップ部９５０であって、前記ポップオフレンズフレーム９０９の外部リップ部９５２に係合し、スタイル上、種々の色およびパターンで提供される内部リップ部９５０を有する。前記外部剥離フェイス部材９０２は、シリコーンから成ることが好ましいが、当該ゴーグル９００の前記外周ポップオフレンズフレーム９０９、前記ゴーグル本体９１２、およびレンズ９０４は、それらに対応する、ゴーグル１００に関連して説明した構成要素と同様な材料から成る。前記レンズ９０４は、利用者の目にシールドを提供するよう、前記目から一定の距離だけ離間されて前記本体９１２の前記半硬質の前部に係合するようなっている。
【００９７】
前記ポップオフレンズフレーム９０９は、指押圧部９３３を伴う複数の取り付けプロング９３２をさらに有し、前記指押圧部９３３は、前記ゴーグル本体９１２上の前記取り付け用レセプタクル９０５に当該ポップオフレンズフレームを着脱自在に係合させて、当該ポップオフレンズフレーム部材とそれに保持されたレンズ９０４と、前記ゴーグル本体とを、前記レンズが前記ゴーグル本体９１２上の定位置に着脱自在に保たれた状態で相互接続する。このように、前記取り付け用プロング９３２が前記取り付け用レセプタクル９０５に係合して定位置に保たれ、前記レンズ上の前記防曇手段１１２′は、９２４、９２６、９２８、９３０を通じて前記ゴーグル本体に接触し、その接触が強化される。
【００９８】
ゴーグル９００は、さらに、前記ゴーグル本体８１２の端部９１１、９１３上に、前記レンズ９０４上の前記防曇手段１１２または１１２′のオン・オフおよび加熱レベルを制御する複数のボタン９３４、９３６をそれぞれ有する。前記オン・オフボタン９３４を押すと、前記電池が前記回路内に含まれて前記防曇手段１１２′への電力が供給され、電池残量インジケータ９３８と、熱または電力レベルインジケータ９４０とが、好ましくは前記ゴーグル９００の利用者に対し当該ゴーグル内に表示される。前記オン・オフボタン９３４を再び押すと電池がオフにされ、より正確には、極めて低い無視できる電力状態にされる。前記ボタン９３６を押すと、前記防曇手段１１２または１１２′に適用される電力レベルが調整され、また当該防曇手段に適用されている電力のレベルが電力レベルディスプレイ９４０に示される。短時間後、前記インジケータ９３８および９４０は、必要以上に利用者の注意を引かないようオフになることが好ましい。また、前記電気回路９９９は、ＵＳＢまたは他の標準的な充電用レセプタクル９７５、前記電池９１９、そして一連の電気ライトパイプなどを使って電力のオンまたはオフ、電力レベルの増減、電力レベルの指標、および電池レベルの指標を制御する論理を相互接続する。
【００９９】
前記電気回路９９９は、図４ｅに関連してを示したものと同様で、前記ゴーグル９００の前記ゴーグル本体９１２に内設され、前記レンズ９０４上の接点９２８、９３０は、図４ｅに示した接点４７７と同様で、前記ゴーグル本体上の接点９２４、９２６は、図４ｅに示した接点４８７と同様である。配線９９９は、前記電池９１９と、前記抵抗性コーティングまたは膜の加熱手段１１２′あるいは抵抗ワイヤー加熱防曇手段１１２（図示せず）との間で、前記ゴーグル本体９１２に内設される。本発明の他の全実施形態と同様、前記電気回路９９９も、標準的なＵＳＢまたは他の標準的な充電用のレセプタクル９７５、前記電池９１９、そして一連の電気ライトパイプなどを使ったオンまたはオフボタン、電力レベル増減、電力レベル指標、および電池レベル指標を相互接続する。
【０１００】
本発明のゴーグルの他の実施形態と同様、前記ゴーグル９００は、さらに、前記ゴーグル本体９１２の後部に、例えば接着剤で取り付けられて、利用者の顔面との快適なインターフェースを当該ゴーグル９００に提供する後部発泡ゴム製インターフェース（フェイスパッド）部材９２５を有する。また、当該ゴーグル９００は、繊維ストラップ部９０７を有することが好ましい。
【０１０１】
ここで図４ｋを参照すると、図４ａ〜４ｅの切断線の位置を例示するため本発明に係るゴーグルの正面斜視図が示されている。図４ｋの切断線は、図５ａ〜５ｃおよび図６の切断線のおおよその位置を示す際の参照用に使用することもできる。
【０１０２】
ここで図６を参照すると、キャップアンドリッジ継ぎバージョンのゴーグル６５０を有する本発明の代替実施形態が開示されている。ゴーグル６５０はレンズ６５２を有し、このレンズ６５２は、その上または内部に加熱要素６５４を有する。前記加熱要素は、キャップ縁部６０７の終端となるレンズフレーム６５８に内設されたワイヤー６５６に電気接続される。レンズ６５２のサイズおよび形状は、前記キャップおよび前記リッジの各外周に沿って前記キャップ縁部６０７を受容し着脱自在に保持するようなっているリッジ部６０９において終端する本体部材６７０の外周と、当該レンズ６５２の外周が対応するようになっている。レンズフレーム６５８内のワイヤー６５８は、接点６６０で終端する。前記レンズ６５２および前記レンズフレーム６５８は、プラスチックで作製された一体型ユニットにでき、または前記フレームは、前記レンズの外周に沿って装着できる。当該ゴーグル６５０は、さらにゴーグル本体６７０を有し、このゴーグル本体６７０は、柔軟性ながら弾性のあるプラスチック材料で作製されることが好ましい。本発明の他の実施形態と同様、前記ゴーグル本体６７０は、その後部に、前記ゴーグル６５０と利用者の顔面とのインターフェースとなる発泡ゴムタイプのインターフェース（フェイスパッド）６２１をさらに有する。ゴーグル本体６７０は、接点６６２および配線４１９をさらに有する。
【０１０３】
接点６６０は、接点６６２と電気接触するよう配置され、接点６６２は、本体６７０に埋め込まれた前記ワイヤー４１９と、任意選択的なプラグ６６３を通じて前記本体から延出し前記ストラップ１１０を通じて前記電池１１４に入るワイヤー１１６とを通じて接続される。利用者は、レンズ６５２の交換を希望する場合、単にそのレンズを剥がして別のレンズと交換することで、容易に前記レンズ６５２を前記本体６７０に係合させることができるため、加熱要素６５４で前記ゴーグルレンズ６５２を加熱して防曇能力を提供する目的で、前述した電気条件を自動的かつ同時に生じさせることができる。
【０１０４】
以上、本発明の好適な実施形態について示し説明してきたが、当業者であれば、本発明のより広義な態様を逸脱しない範囲で、多数の変更形態および修正形態が可能であることは明らかであろう。例えば、当業者であれば、本明細書の特許請求の範囲に記載された本発明の真の要旨を逸脱しない範囲で、本発明の種々の実施形態の各種構成要素を組み合わせられることが理解されるであろう。そのため、上記の例により、本発明の範囲を逸脱しない範囲で、任意の実施形態において、キャップアンドリッジ継ぎ機構をさねはぎ継ぎ機構と交換できることが理解されるであろう。さらに、レンズの色または開示した防曇能力を代替実施形態の本体またはレンズフレームにより交換することも、同様に、本発明の要旨から逸脱することはない。したがって、添付の請求項は、そのようなすべての変更形態および修正形態を、本発明の真の要旨の範囲内であるとして、包含することを意図している。
【図１】
2014531965.tif 000003
【図２】
2014531965.tif 000004
【図３ａ】
2014531965.tif 000005
【図３ｂ】
2014531965.tif 000006
【図３ｃ】
2014531965.tif 000007
【図４ａ】
2014531965.tif 000008
【図４ｂ】
2014531965.tif 000009
【図４ｃ】
2014531965.tif 000010
【図４ｄ】
2014531965.tif 000011
【図４ｅ】
2014531965.tif 000012
【図４ｆ】
2014531965.tif 000013
【図４ｇ】
2014531965.tif 000014
【図４ｈ】
2014531965.tif 000015
【図４ｉ】
2014531965.tif 000016
【図４ｊ】
2014531965.tif 000017
【図４ｋ】
2014531965.tif 000018
【図５ａ】
2014531965.tif 000019
【図５ｂ】
2014531965.tif 000020
【図５ｃ】
2014531965.tif 000021
【図６】
2014531965.tif 000022
【図７】
2014531965.tif 000023
【国際調査報告】
2014531965.tif 000024